(57)【要約】  表示システム（１００）では、画像データ供給装置（１１０）が、原画像データの輝度レベルを計算し（輝度レベル計算部（１１２））、輝度レベルに基づいて原画像データの輝度を上昇させた輝度調整画像データを生成して（輝度調整部（１１４））、表示装置（１２０）に送信する（画像送信部（１１５））。一方、表示装置（１２０）は、画像データ供給装置（１１０）から輝度調整画像データを受信し（画像受信部（１２１））、輝度調整画像データの原画像データからの輝度の上昇の程度に合わせて、照度を低下させるようにバックライト（１２５）を制御する（バックライト調整部（１２４））。これにより、輝度調整画像データの生成を画像データ供給装置（１１０）において行うことができる。それゆえ、画質が劣化することなく画像データの輝度を上げて、その分バックライトの照度を下げることが可能となる。
2007108475.tif 000002
【特許請求の範囲】
【請求項１】
表示面を背面および前面の少なくともいずれか一方から照明する光源を有する表示装置と、該表示装置において表示される画像データを当該表示装置に供給する画像データ供給装置とを含む表示システムであって、
上記画像データ供給装置は、
原画像データの輝度についての特徴量である輝度レベルを計算する輝度レベル計算手段と、
上記輝度レベル計算手段が計算した輝度レベルに基づいて、上記原画像データの輝度を上昇させた輝度調整画像データを生成する輝度調整手段と、
上記輝度調整手段によって生成された輝度調整画像データを上記表示装置に送信する画像送信手段とを備え、
上記表示装置は、
上記画像データ供給装置から輝度調整画像データを受信する画像受信手段と、
上記輝度調整画像データの原画像データからの輝度の上昇の程度に合わせて、照度を低下させるように上記光源を制御する光源調整手段とを備えることを特徴とする表示システム。
【請求項２】
表示面を背面および前面の少なくともいずれか一方から照明する光源を有する表示装置において表示される画像データを、当該表示装置に供給する画像データ供給装置であって、
原画像データの輝度についての特徴量である輝度レベルを計算する輝度レベル計算手段と、
上記輝度レベル計算手段が計算した輝度レベルに基づいて、上記原画像データの輝度を上昇させた輝度調整画像データを生成する輝度調整手段と、
上記輝度調整手段によって生成された輝度調整画像データを上記表示装置に送信する画像送信手段と、を備えることを特徴とする画像データ供給装置。
【請求項３】
表示面を背面および前面の少なくともいずれか一方から照明する光源を有する表示装置であって、
画像データ供給装置から輝度調整画像データを受信する画像受信手段と、
上記輝度調整画像データの原画像データからの輝度の上昇の程度に合わせて、照度を低下させるように上記光源を制御する光源調整手段と、を備えることを特徴とする表示装置。
【請求項４】
表示面を背面および前面の少なくともいずれか一方から照明する光源を有する表示装置において表示される画像データを、当該表示装置に供給する画像データ供給装置の制御方法であって、
原画像データの輝度についての特徴量である輝度レベルを計算する輝度レベル計算ステップと、
上記輝度レベル計算ステップにて計算した輝度レベルに基づいて、上記原画像データの輝度を上昇させた輝度調整画像データを生成する輝度調整ステップと、
上記輝度調整ステップにて生成した輝度調整画像データを上記表示装置に送信する画像送信ステップと、を含むことを特徴とする画像データ供給装置の制御方法。
【請求項５】
表示面を背面および前面の少なくともいずれか一方から照明する光源を有する表示装置の制御方法であって、
画像データ供給装置から輝度調整画像データを受信する画像受信ステップと、
上記輝度調整画像データの原画像データからの輝度の上昇の程度に合わせて、照度を低下させるように上記光源を制御する光源調整ステップと、を含むことを特徴とする表示装置の制御方法。
【請求項６】
上記画像データ供給装置は、さらに、
上記輝度調整手段が原画像データの輝度を上昇させる程度に合わせて、上記表示装置の光源の照度を低下させるように光源を制御するための光源調整値を算出する光源調整値算出手段と、
上記光源調整値算出手段によって算出された光源調整値を上記表示装置へ送信する光源調整値送信手段とを備え、
上記表示装置は、さらに、
上記画像データ供給装置から光源調整値を受信する光源調整値受信手段を備えるとともに、
上記光源調整手段が、上記光源調整値受信手段が受信した光源調整値に基づいて、上記光源を制御するものであることを特徴とする請求項１に記載の表示システム。
【請求項７】
上記輝度調整手段が原画像データの輝度を上昇させる程度に合わせて、上記表示装置の光源の照度を低下させるように光源を制御するための光源調整値を算出する光源調整値算出手段と、
上記光源調整値算出手段によって算出された光源調整値を上記表示装置へ送信する光源調整値送信手段と、を備えることを特徴とする請求項２に記載の画像データ供給装置。
【請求項８】
上記画像データ供給装置から光源調整値を受信する光源調整値受信手段を備えるとともに、
上記光源調整手段が、上記光源調整値受信手段が受信した光源調整値に基づいて、上記光源を制御するものであることを特徴とする請求項３に記載の表示装置。
【請求項９】
上記輝度調整ステップにて原画像データの輝度を上昇させる程度に合わせて、上記表示装置の光源の照度を低下させるように光源を制御するための光源調整値を算出する光源調整値算出ステップと、
上記光源調整値算出ステップにて算出された光源調整値を上記表示装置へ送信する光源調整値送信ステップと、をさらに含むことを特徴とする請求項４に記載の画像データ供給装置の制御方法。
【請求項１０】
上記画像データ供給装置から光源調整値を受信する光源調整値受信ステップをさらに含むとともに、
上記光源調整ステップにて、上記光源調整値受信ステップにて受信した光源調整値に基づいて、上記光源を制御することを特徴とする請求項５に記載の表示装置の制御方法。
【請求項１１】
表示面を背面および前面の少なくともいずれか一方から照明する光源を有する表示装置と、該表示装置において表示される画像データを当該表示装置に供給する画像データ供給装置とを含む表示システムであって、
上記画像データ供給装置は、
原画像データの輝度についての特徴量である輝度レベルを計算する輝度レベル計算手段と、
上記輝度レベル計算手段が計算した輝度レベルに基づいて、上記原画像データの輝度を上昇させた輝度調整画像データを生成する輝度調整手段と、
上記輝度調整手段によって生成された輝度調整画像データを記録メディアに記録する画像記録手段とを備え、
上記表示装置は、
上記記録メディアから輝度調整画像データを読み出す画像読出手段と、
上記輝度調整画像データの原画像データからの輝度の上昇の程度に合わせて、照度を低下させるように上記光源を制御する光源調整手段とを備えることを特徴とする表示システム。
【請求項１２】
表示面を背面および前面の少なくともいずれか一方から照明する光源を有する表示装置において表示される画像データを、当該表示装置に供給する画像データ供給装置であって、
原画像データの輝度についての特徴量である輝度レベルを計算する輝度レベル計算手段と、
上記輝度レベル計算手段が計算した輝度レベルに基づいて、上記原画像データの輝度を上昇させた輝度調整画像データを生成する輝度調整手段と、
上記輝度調整手段によって生成された輝度調整画像データを記録メディアに記録する画像記録手段と、を備えることを特徴とする画像データ供給装置。
【請求項１３】
表示面を背面および前面の少なくともいずれか一方から照明する光源を有する表示装置であって、
記録メディアから輝度調整画像データを読み出す画像読出手段と、
上記輝度調整画像データの原画像データからの輝度の上昇の程度に合わせて、照度を低下させるように上記光源を制御する光源調整手段と、を備えることを特徴とする表示装置。
【請求項１４】
表示面を背面および前面の少なくともいずれか一方から照明する光源を有する表示装置において表示される画像データを、当該表示装置に供給する画像データ供給装置の制御方法であって、
原画像データの輝度についての特徴量である輝度レベルを計算する輝度レベル計算ステップと、
上記輝度レベル計算ステップにて計算した輝度レベルに基づいて、上記原画像データの輝度を上昇させた輝度調整画像データを生成する輝度調整ステップと、
上記輝度調整ステップにて生成した輝度調整画像データを記録メディアに記録する画像記録ステップと、を含むことを特徴とする画像データ供給装置の制御方法。
【請求項１５】
表示面を背面および前面の少なくともいずれか一方から照明する光源を有する表示装置の制御方法であって、
記録メディアから輝度調整画像データを読み出す画像読出ステップと、
上記輝度調整画像データの原画像データからの輝度の上昇の程度に合わせて、照度を低下させるように上記光源を制御する光源調整ステップと、を含むことを特徴とする表示装置の制御方法。
【請求項１６】
上記画像データ供給装置は、さらに、
上記輝度調整手段が原画像データの輝度を上昇させる程度に合わせて、上記表示装置の光源の照度を低下させるように光源を制御するための光源調整値を算出する光源調整値算出手段と、
上記光源調整値算出手段によって算出された光源調整値を上記記録メディアに記録する光源調整値記録手段とを備え、
上記表示装置は、さらに、
上記記録メディアから光源調整値を読み出す光源調整値読出手段を備えるとともに、
上記光源調整手段が、上記光源調整値読出手段が読み出した光源調整値に基づいて、上記光源を制御するものであることを特徴とする請求項１１に記載の表示システム。
【請求項１７】
上記輝度調整手段が原画像データの輝度を上昇させる程度に合わせて、上記表示装置の光源の照度を低下させるように光源を制御するための光源調整値を算出する光源調整値算出手段と、
上記光源調整値算出手段によって算出された光源調整値を上記記録メディアに記録する光源調整値記録手段と、を備えることを特徴とする請求項１２に記載の画像データ供給装置。
【請求項１８】
上記記録メディアから光源調整値を読み出す光源調整値読出手段を備えるとともに、
上記光源調整手段が、上記光源調整値読出手段が読み出した光源調整値に基づいて、上記光源を制御するものであることを特徴とする請求項１３に記載の表示装置。
【請求項１９】
上記輝度調整ステップにて原画像データの輝度を上昇させる程度に合わせて、上記表示装置の光源の照度を低下させるように光源を制御するための光源調整値を算出する光源調整値算出ステップと、
上記光源調整値算出ステップにて算出された光源調整値を上記記録メディアに記録する光源調整値記録ステップと、をさらに含むことを特徴とする請求項１４に記載の画像データ供給装置の制御方法。
【請求項２０】
上記記録メディアから光源調整値を読み出す光源調整値読出ステップをさらに含むとともに、
上記光源調整ステップにて、上記光源調整値読出ステップにて読み出した光源調整値に基づいて、上記光源を制御することを特徴とする請求項１５に記載の表示装置の制御方法。
【請求項２１】
表示面を背面および前面の少なくともいずれか一方から照明する光源を有する表示装置と、該表示装置において表示される画像データを当該表示装置に供給する画像データ供給装置とを含む表示システムであって、
上記画像データ供給装置は、
原画像データの輝度についての特徴量である輝度レベルを計算する輝度レベル計算手段と、
上記輝度レベル計算手段によって計算された輝度レベルを上記表示装置へ送信する輝度レベル送信手段とを備え、
上記表示装置は、
上記画像データ供給装置から原画像データの輝度についての特徴量である輝度レベルを受信する輝度レベル受信手段と、
上記輝度レベル受信手段が受信した輝度レベルに基づいて、上記原画像データの輝度を上昇させた輝度調整画像データを生成する輝度調整手段と、
上記輝度調整手段が原画像データの輝度を上昇させる程度に合わせて、照度を低下させるように上記光源を制御する光源調整手段とを備えることを特徴とする表示システム。
【請求項２２】
表示面を背面および前面の少なくともいずれか一方から照明する光源を有する表示装置において表示される画像データを、当該表示装置に供給する画像データ供給装置であって、
原画像データの輝度についての特徴量である輝度レベルを計算する輝度レベル計算手段と、
上記輝度レベル計算手段によって計算された輝度レベルを上記表示装置へ送信する輝度レベル送信手段と、を備えることを特徴とする画像データ供給装置。
【請求項２３】
表示面を背面および前面の少なくともいずれか一方から照明する光源を有する表示装置であって、
画像データ供給装置から原画像データの輝度についての特徴量である輝度レベルを受信する輝度レベル受信手段と、
上記輝度レベル受信手段が受信した輝度レベルに基づいて、上記原画像データの輝度を上昇させた輝度調整画像データを生成する輝度調整手段と、
上記輝度調整手段が原画像データの輝度を上昇させる程度に合わせて、照度を低下させるように上記光源を制御する光源調整手段と、を備えることを特徴とする表示装置。
【請求項２４】
表示面を背面および前面の少なくともいずれか一方から照明する光源を有する表示装置において表示される画像データを、当該表示装置に供給する画像データ供給装置の制御方法であって、
原画像データの輝度についての特徴量である輝度レベルを計算する輝度レベル計算ステップと、
上記輝度レベル計算ステップにて計算した輝度レベルを上記表示装置へ送信する輝度レベル送信ステップと、を含むことを特徴とする画像データ供給装置の制御方法。
【請求項２５】
表示面を背面および前面の少なくともいずれか一方から照明する光源を有する表示装置の制御方法であって、
画像データ供給装置から原画像データの輝度についての特徴量である輝度レベルを受信する輝度レベル受信ステップと、
上記輝度レベル受信ステップにて受信した輝度レベルに基づいて、上記原画像データの輝度を上昇させた輝度調整画像データを生成する輝度調整ステップと、
上記輝度調整ステップにて原画像データの輝度を上昇させる程度に合わせて、照度を低下させるように上記光源を制御する光源調整ステップと、を含むことを特徴とする表示装置の制御方法。
【請求項２６】
上記画像データ供給装置は、さらに、
上記原画像データを上記表示装置へ送信する画像送信手段を備え、
上記表示装置は、さらに、
上記画像データ供給装置から原画像データを受信する画像受信手段を備えることを特徴とする請求項２１に記載の表示システム。
【請求項２７】
上記原画像データを上記表示装置へ送信する画像送信手段を備えることを特徴とする請求項２２に記載の画像データ供給装置。
【請求項２８】
上記画像データ供給装置から原画像データを受信する画像受信手段を備えることを特徴とする請求項２３に記載の表示装置。
【請求項２９】
上記輝度調整手段は、上記輝度レベル受信手段が受信した輝度レベルが固定の閾値より暗い場合、上記原画像データに、輝度レベルが上記閾値より暗い場合に合わせて設定が固定された輝度調整フィルタを適用して、輝度を上昇させた輝度調整画像データを生成し、
上記光源調整手段は、上記輝度調整手段が生成した輝度調整画像データを表示する際、上記輝度調整フィルタの輝度上昇度に合わせてあらかじめ設定された照度に光源の照度を低下させることを特徴とする請求項２８に記載の表示装置。
【請求項３０】
上記輝度調整手段は、上記輝度レベル受信手段が受信した輝度レベルに応じて、輝度レベル毎にあらかじめ用意された複数の輝度調整フィルタから１つ選択した輝度調整フィルタを上記原画像データに適用して、輝度を上昇させた輝度調整画像データを生成し、
上記光源調整手段は、上記輝度調整手段が選択した輝度調整フィルタに対応付けてあらかじめ設定されている照度に光源の照度を低下させることを特徴とする請求項２８に記載の表示装置。
【請求項３１】
上記原画像データを上記表示装置へ送信する画像送信ステップをさらに含むことを特徴とする請求項２４に記載の画像データ供給装置の制御方法。
【請求項３２】
上記画像データ供給装置から原画像データを受信する画像受信ステップをさらに含むことを特徴とする請求項２５に記載の表示装置の制御方法。
【請求項３３】
上記画像データ供給装置は、さらに、
上記原画像データを記録メディアに記録する画像記録手段を備え、
上記表示装置は、さらに、
上記記録メディアから原画像データを読み出す画像読出手段を備えることを特徴とする請求項２１に記載の表示システム。
【請求項３４】
上記原画像データを記録メディアに記録する画像記録手段を備えることを特徴とする請求項２２に記載の画像データ供給装置。
【請求項３５】
記録メディアから原画像データを読み出す画像読出手段を備えることを特徴とする請求項２３に記載の表示装置。
【請求項３６】
上記原画像データを記録メディアに記録する画像記録ステップをさらに含むことを特徴とする請求項２４に記載の画像データ供給装置の制御方法。
【請求項３７】
記録メディアから原画像データを読み出す画像読出ステップをさらに含むことを特徴とする請求項２５に記載の表示装置の制御方法。
【請求項３８】
表示面を背面および前面の少なくともいずれか一方から照明する光源を有する表示装置と、該表示装置において表示される画像データを当該表示装置に供給する画像データ供給装置とを含む表示システムであって、
上記画像データ供給装置は、
原画像データの輝度についての特徴量である輝度レベルを計算する輝度レベル計算手段と、
上記輝度レベル計算手段が計算した輝度レベルに基づいて、輝度調整フィルタを決定する輝度調整フィルタ決定手段と、
上記輝度調整フィルタ決定手段が決定した輝度調整フィルタ、または、該輝度調整フィルタを識別可能なフィルタ識別情報を上記表示装置へ送信する輝度調整フィルタ送信手段と、
上記輝度調整フィルタ決定手段が決定した輝度調整フィルタの輝度上昇度に合わせて、表示装置の光源の照度を低下させるように光源を制御するための光源調整値を算出する光源調整値算出手段と、
上記光源調整値算出手段によって算出された光源調整値を上記表示装置へ送信する光源調整値送信手段とを備え、
上記表示装置は、
上記画像データ供給装置から輝度調整フィルタ、または、該輝度調整フィルタを識別可能なフィルタ識別情報を受信する輝度調整フィルタ受信手段と、
上記輝度調整フィルタ受信手段が受信した輝度調整フィルタ、または、フィルタ識別情報に対応する輝度調整フィルタを原画像データに適用して、輝度を上昇させた輝度調整画像データを生成する輝度調整手段と、
上記画像データ供給装置から光源調整値を受信する光源調整値受信手段と、
上記光源調整値受信手段が受信した光源調整値に基づいて、光源を制御する光源調整手段とを備えることを特徴とする表示システム。
【請求項３９】
表示面を背面および前面の少なくともいずれか一方から照明する光源を有する表示装置において表示される画像データを、当該表示装置に供給する画像データ供給装置であって、
原画像データの輝度についての特徴量である輝度レベルを計算する輝度レベル計算手段と、
上記輝度レベル計算手段が計算した輝度レベルに基づいて、輝度調整フィルタを決定する輝度調整フィルタ決定手段と、
上記輝度調整フィルタ決定手段が決定した輝度調整フィルタ、または、該輝度調整フィルタを識別可能なフィルタ識別情報を上記表示装置へ送信する輝度調整フィルタ送信手段と、
上記輝度調整フィルタ決定手段が決定した輝度調整フィルタの輝度上昇度に合わせて、表示装置の光源の照度を低下させるように光源を制御するための光源調整値を算出する光源調整値算出手段と、
上記光源調整値算出手段によって算出された光源調整値を上記表示装置へ送信する光源調整値送信手段と、を備えることを特徴とする画像データ供給装置。
【請求項４０】
表示面を背面および前面の少なくともいずれか一方から照明する光源を有する表示装置であって、
画像データ供給装置から輝度調整フィルタ、または、該輝度調整フィルタを識別可能なフィルタ識別情報を受信する輝度調整フィルタ受信手段と、
上記輝度調整フィルタ受信手段が受信した輝度調整フィルタ、または、フィルタ識別情報に対応する輝度調整フィルタを原画像データに適用して、輝度を上昇させた輝度調整画像データを生成する輝度調整手段と、
上記画像データ供給装置から光源調整値を受信する光源調整値受信手段と、
上記光源調整値受信手段が受信した光源調整値に基づいて、光源を制御する光源調整手段と、を備えることを特徴とする表示装置。
【請求項４１】
表示面を背面および前面の少なくともいずれか一方から照明する光源を有する表示装置において表示される画像データを、当該表示装置に供給する画像データ供給装置の制御方法であって、
原画像データの輝度についての特徴量である輝度レベルを計算する輝度レベル計算ステップと、
上記輝度レベル計算ステップにて計算した輝度レベルに基づいて、輝度調整フィルタを決定する輝度調整フィルタ決定ステップと、
上記輝度調整フィルタ決定ステップにて決定した輝度調整フィルタ、または、該輝度調整フィルタを識別可能なフィルタ識別情報を上記表示装置へ送信する輝度調整フィルタ送信ステップと、
上記輝度調整フィルタ決定ステップにて決定した輝度調整フィルタの輝度上昇度に合わせて、表示装置の光源の照度を低下させるように光源を制御するための光源調整値を算出する光源調整値算出ステップと、
上記光源調整値算出ステップにて算出した光源調整値を上記表示装置へ送信する光源調整値送信ステップと、を含むことを特徴とする画像データ供給装置の制御方法。
【請求項４２】
表示面を背面および前面の少なくともいずれか一方から照明する光源を有する表示装置の制御方法であって、
画像データ供給装置から輝度調整フィルタ、または、該輝度調整フィルタを識別可能なフィルタ識別情報を受信する輝度調整フィルタ受信ステップと、
上記輝度調整フィルタ受信ステップにて受信した輝度調整フィルタ、または、フィルタ識別情報に対応する輝度調整フィルタを原画像データに適用して、輝度を上昇させた輝度調整画像データを生成する輝度調整ステップと、
上記画像データ供給装置から光源調整値を受信する光源調整値受信ステップと、
上記光源調整値受信ステップにて受信した光源調整値に基づいて、光源を制御する光源調整ステップと、を含むことを特徴とする表示装置の制御方法。
【請求項４３】
上記画像データ供給装置は、さらに、
上記原画像データを上記表示装置へ送信する画像送信手段を備え、
上記表示装置は、さらに、
上記画像データ供給装置から原画像データを受信する画像受信手段を備えることを特徴とする請求項３８に記載の表示システム。
【請求項４４】
上記原画像データを上記表示装置へ送信する画像送信手段を備えることを特徴とする請求項３９に記載の画像データ供給装置。
【請求項４５】
上記画像データ供給装置から原画像データを受信する画像受信手段を備えることを特徴とする請求項４０に記載の表示装置。
【請求項４６】
上記原画像データを上記表示装置へ送信する画像送信ステップをさらに含むことを特徴とする請求項４１に記載の画像データ供給装置の制御方法。
【請求項４７】
上記画像データ供給装置から原画像データを受信する画像受信ステップをさらに含むことを特徴とする請求項４２に記載の表示装置の制御方法。
【請求項４８】
上記画像データ供給装置は、さらに、
上記原画像データを記録メディアに記録する画像記録手段を備え、
上記表示装置は、さらに、
上記記録メディアから原画像データを読み出す画像読出手段を備えることを特徴とする請求項３８に記載の表示システム。
【請求項４９】
上記原画像データを記録メディアに記録する画像記録手段を備えることを特徴とする請求項３９に記載の画像データ供給装置。
【請求項５０】
記録メディアから原画像データを読み出す画像読出手段を備えることを特徴とする請求項４０に記載の表示装置。
【請求項５１】
上記原画像データを記録メディアに記録する画像記録ステップをさらに含むことを特徴とする請求項４１に記載の画像データ供給装置の制御方法。
【請求項５２】
記録メディアから原画像データを読み出す画像読出ステップをさらに含むことを特徴とする請求項４２に記載の表示装置の制御方法。
【請求項５３】
請求項２、７、１２、１７、２２、２７、３４、３９、４４、４９のいずれか１項に記載の画像データ供給装置がコンピュータによって実現され、当該コンピュータを上記各手段として機能させるための制御プログラム。
【請求項５４】
請求項３、８、１３、１８、２３、２８、２９、３０、３５、４０、４５、５０のいずれか１項に記載の表示装置がコンピュータによって実現され、当該コンピュータを上記各手段として機能させるための制御プログラム。
【請求項５５】
請求項５３または５４に記載の制御プログラムを記録したコンピュータ読み取り可能な記録媒体。
【発明の詳細な説明】
【技術分野】
【０００１】
本発明は、バックライトやフロントライト等の光源を備える表示装置、画像データ供給装置、表示システム、制御方法、制御プログラムおよびそれを記録したコンピュータ読み取り可能な記録媒体に関するものである。
【背景技術】
【０００２】
携帯型の機器にあっては、機器の消費電力を低減することで、バッテリでの使用時間が長時間化できるとともに、バッテリを小型化できるので機器の小型軽量化に寄与する。また、液晶表示装置を備えた機器にあっては、全体の消費電力のなかで液晶のバックライトの消費電力が占める割合が大きく、この消費電力低減が強く求められている。【０００３】
テレビジョン受信機能を備えた携帯電話では、バックライトに消費される電力が最も大きく、バッテリ駆動時間はバックライトの点灯／非点灯やその照度よって大きく異なる。一般に、バックライトの照度が高ければ表示画面は見やすくなり、照度が低くなると見にくくなる。また、周囲の明るさによっても最適な照度は変わってくる。バックライトの使用はバッテリ駆動時間に大きく影響するため、バックライトの照度を制御してバッテリ駆動時間を伸ばすことが行われている。【０００４】
従来、バックライトの消費電力を低減する技術として、入力される映像信号レベルの最大値等に応じて、液晶に供給される映像信号のレベルを制御し、同時にバックライトの明るさを制御することで、低消費電力化を図ることが行われている。【０００５】
ここで、図１５は、従来技術に係る表示装置８００の構成を示す機能ブロック図である。表示装置８００は、画像データの輝度レベルを計算し、それを基に画像データの輝度を上げるとともに、バックライトの照度を下げることによって、バックライトの消費電力を低減する。【０００６】
図１５に示すように、表示装置８００は、画像受信部８０１、輝度レベル計算部８０２、フィルタ生成／選択部８０３、輝度調整部８０４、バックライト調整値算出部８０５、バックライト調整部８０６、表示デバイス８０７、バックライト８０８を備えて構成されている。【０００７】
画像受信部８０１は、表示すべき原画像データを受信する。輝度レベル計算部８０２は、原画像データの輝度レベルを計算する。ここで、輝度レベルとは、例えば、１枚の画像における輝度の平均値や最大値である。フィルタ生成／選択部８０３は、輝度レベル計算部８０２で計算された原画像データの輝度レベルを基に、輝度調整部８０４で用いる輝度調整フィルタを生成あるいは選択する。輝度調整部８０４は、原画像データの輝度を調整して、輝度調整画像データを出力する。輝度調整部８０４で行われるのは、例えばガンマ補正によるフィルタ処理である。輝度調整部８０４が生成した輝度調整画像データは、表示デバイス８０７によって表示される。【０００８】
一方、バックライト調整値算出部８０５は、輝度レベル計算部８０２で計算された原画像データの輝度レベルを基に、バックライト８０８の照度を調整するためのバックライト調整値を算出する。バックライト調整部８０６は、バックライト調整値算出部８０５で算出されたバックライト調整値を基に、バックライト８０８の照度を制御する。【０００９】
なお、本願発明に関連する先行技術文献としては、次の特許文献１，２がある。【００１０】
特許文献１には、電力削減のために、バックライト強度が下がったとき、画像を補償するためにピクセルの輝度を上げる技術が記載されている。また、ピクセルの値を演算によって求めることが記載されている。【００１１】
また、特許文献２には、映像から抽出したバックライトパラメータを用いて、映像の輝度および色飽和を修正する技術が開示されている。
【特許文献１】米国特許出願公開第２００５／０１１０７４０号明細書（公開日：２００５年５月２６日）
【特許文献２】米国特許出願公開第２００５／０２０６７７６号明細書（公開日：２００５年９月２２日）
【発明の開示】
【００１２】
しかしながら、上記従来の構成によれば、画像データの輝度を上げて、その分バックライトの照度を下げるために必要となるデータ処理、すなわち、輝度レベルの計算、輝度調整フィルタの生成あるいは選択、画像データの輝度調整、バックライト調整値の算出を、表示装置で行う必要がある。しかし、これらの計算は、通常膨大な計算量が必要となる。そのため、表示装置は装置構成が複雑になっていた。また、放送やインターネットによる配信を利用してデータの受信と同時に表示するためには、上記の計算をリアルタイムで行うことが必要となるが、表示装置がリアルタイム処理に必要となる処理能力を持たないため、輝度調整が不可能、あるいは輝度調整した結果の画像が劣化する場合があった。
【００１３】
本発明は、上記の問題点に鑑みてなされたものであり、その目的は、画質が劣化することなく画像データの輝度を上げて、その分バックライトの照度を下げることができる表示装置、画像データ供給装置、表示システム、制御方法、制御プログラムおよびそれを記録したコンピュータ読み取り可能な記録媒体を実現することにある。
【００１４】
上記課題を解決するために、本発明に係る表示システムは、表示面を背面および前面の少なくともいずれか一方から照明する光源を有する表示装置と、該表示装置において表示される画像データを当該表示装置に供給する画像データ供給装置とを含む表示システムであって、上記画像データ供給装置は、原画像データの輝度についての特徴量である輝度レベルを計算する輝度レベル計算手段と、上記輝度レベル計算手段が計算した輝度レベルに基づいて、上記原画像データの輝度を上昇させた輝度調整画像データを生成する輝度調整手段と、上記輝度調整手段によって生成された輝度調整画像データを上記表示装置に送信する画像送信手段とを備え、上記表示装置は、上記画像データ供給装置から輝度調整画像データを受信する画像受信手段と、上記輝度調整画像データの原画像データからの輝度の上昇の程度に合わせて、照度を低下させるように上記光源を制御する光源調整手段とを備えることを特徴としている。
【００１５】
上記の構成により、画像データ供給装置は、原画像データの輝度レベルを計算し、輝度レベルに基づいて原画像データの輝度を上昇させた輝度調整画像データを生成し、輝度調整画像データを表示装置に送信する。そして、表示装置は、画像データ供給装置から輝度調整画像データを受信して表示するとともに、輝度調整画像データの原画像データからの輝度の上昇の程度に合わせて、照度を低下させるように光源を制御する。ここで、表示装置の光源は、表示面を背面および前面の少なくともいずれか一方から照明するものであればよく、例えば、バックライトやフロントライトであってもよい。
【００１６】
よって、画像データの輝度を上げて、その分光源の照度を下げることにより、表示装置の省電力化が実現できる。そして、原画像データの輝度レベルの計算と、輝度調整画像データの生成とが、画像データ供給装置において行われるため、表示装置では、受信した輝度調整画像データをそのまま表示するだけでよい。すなわち、表示装置では、輝度調整のための計算が不要である。
【００１７】
したがって、表示装置の装置構成が簡単である。また、画像データ供給装置では、表示装置よりも高性能な装置を利用することができるとともに、輝度調整画像データをあらかじめ生成しておくことが可能な場合には、十分な時間をかけて行うことができるため、輝度調整により良い結果を得ることができる。
【００１８】
また、本発明に係る表示システムは、表示面を背面および前面の少なくともいずれか一方から照明する光源を有する表示装置と、該表示装置において表示される画像データを当該表示装置に供給する画像データ供給装置とを含む表示システムであって、上記画像データ供給装置は、原画像データの輝度についての特徴量である輝度レベルを計算する輝度レベル計算手段と、上記輝度レベル計算手段が計算した輝度レベルに基づいて、上記原画像データの輝度を上昇させた輝度調整画像データを生成する輝度調整手段と、上記輝度調整手段によって生成された輝度調整画像データを記録メディアに記録する画像記録手段とを備え、上記表示装置は、上記記録メディアから輝度調整画像データを読み出す画像読出手段と、上記輝度調整画像データの原画像データからの輝度の上昇の程度に合わせて、照度を低下させるように上記光源を制御する光源調整手段とを備えることを特徴としている。
【００１９】
上記の構成により、画像データ供給装置は、原画像データの輝度レベルを計算し、輝度レベルに基づいて原画像データの輝度を上昇させた輝度調整画像データを生成し、輝度調整画像データを記録メディアに記録する。そして、表示装置は、画像データ供給装置にて記録メディアに記録された輝度調整画像データを、記録メディアから読み出して表示するとともに、輝度調整画像データの原画像データからの輝度の上昇の程度に合わせて、照度を低下させるように光源を制御する。ここで、表示装置の光源は、表示面を背面および前面の少なくともいずれか一方から照明するものであればよく、例えば、バックライトやフロントライトであってもよい。
【００２０】
よって、画像データの輝度を上げて、その分光源の照度を下げることにより、表示装置の省電力化が実現できる。そして、原画像データの輝度レベルの計算と、輝度調整画像データの生成とが、画像データ供給装置において行われるため、表示装置では、記録メディアを介して取得した輝度調整画像データをそのまま表示するだけでよい。すなわち、表示装置では、輝度調整のための計算が不要である。
【００２１】
したがって、表示装置の装置構成が簡単である。また、画像データ供給装置では、表示装置よりも高性能な装置を利用することができるとともに、輝度調整画像データをあらかじめ生成しておくことが可能な場合には、十分な時間をかけて行うことができるため、輝度調整により良い結果を得ることができる。
【００２２】
また、本発明に係る表示システムは、表示面を背面および前面の少なくともいずれか一方から照明する光源を有する表示装置と、該表示装置において表示される画像データを当該表示装置に供給する画像データ供給装置とを含む表示システムであって、上記画像データ供給装置は、原画像データの輝度についての特徴量である輝度レベルを計算する輝度レベル計算手段と、上記輝度レベル計算手段によって計算された輝度レベルを上記表示装置へ送信する輝度レベル送信手段とを備え、上記表示装置は、上記画像データ供給装置から原画像データの輝度についての特徴量である輝度レベルを受信する輝度レベル受信手段と、上記輝度レベル受信手段が受信した輝度レベルに基づいて、上記原画像データの輝度を上昇させた輝度調整画像データを生成する輝度調整手段と、上記輝度調整手段が原画像データの輝度を上昇させる程度に合わせて、照度を低下させるように上記光源を制御する光源調整手段とを備えることを特徴としている。
【００２３】
上記の構成により、画像データ供給装置は、原画像データの輝度レベルを計算して、表示装置へ送信する。そして、表示装置は、画像データ供給装置から受信した輝度レベルに基づいて、原画像データの輝度を上昇させた輝度調整画像データを生成して、表示するとともに、原画像データの輝度を上昇させる程度に合わせて、照度を低下させるように光源を制御する。ここで、表示装置の光源は、表示面を背面および前面の少なくともいずれか一方から照明するものであればよく、例えば、バックライトやフロントライトであってもよい。
【００２４】
よって、画像データの輝度を上げて、その分光源の照度を下げることにより、表示装置の省電力化が実現できる。そして、原画像データの輝度レベルの計算が、画像データ供給装置において行われるため、表示装置では、受信した輝度レベルを用いて、輝度調整画像データを生成すればよい。すなわち、表示装置では、輝度レベルのための計算が不要である。
【００２５】
したがって、表示装置の装置構成が簡単である。また、画像データ供給装置では、表示装置よりも高性能な装置を利用することができるとともに、輝度レベルをあらかじめ生成しておくことが可能な場合には、十分な時間をかけて行うことができるため、精度の高い結果を得ることができる。
【００２６】
また、本発明に係る表示システムは、表示面を背面および前面の少なくともいずれか一方から照明する光源を有する表示装置と、該表示装置において表示される画像データを当該表示装置に供給する画像データ供給装置とを含む表示システムであって、上記画像データ供給装置は、原画像データの輝度についての特徴量である輝度レベルを計算する輝度レベル計算手段と、上記輝度レベル計算手段が計算した輝度レベルに基づいて、輝度調整フィルタを決定する輝度調整フィルタ決定手段と、上記輝度調整フィルタ決定手段が決定した輝度調整フィルタ、または、該輝度調整フィルタを識別可能なフィルタ識別情報を上記表示装置へ送信する輝度調整フィルタ送信手段と、上記輝度調整フィルタ決定手段が決定した輝度調整フィルタの輝度上昇度に合わせて、表示装置の光源の照度を低下させるように光源を制御するための光源調整値を算出する光源調整値算出手段と、上記光源調整値算出手段によって算出された光源調整値を上記表示装置へ送信する光源調整値送信手段とを備え、上記表示装置は、上記画像データ供給装置から輝度調整フィルタ、または、該輝度調整フィルタを識別可能なフィルタ識別情報を受信する輝度調整フィルタ受信手段と、上記輝度調整フィルタ受信手段が受信した輝度調整フィルタ、または、フィルタ識別情報に対応する輝度調整フィルタを原画像データに適用して、輝度を上昇させた輝度調整画像データを生成する輝度調整手段と、上記画像データ供給装置から光源調整値を受信する光源調整値受信手段と、上記光源調整値受信手段が受信した光源調整値に基づいて、光源を制御する光源調整手段とを備えることを特徴としている。
【００２７】
上記の構成により、画像データ供給装置は、原画像データの輝度レベルを計算し、輝度レベルに基づいて、輝度調整フィルタを決定し、該決定した輝度調整フィルタ、または、そのフィルタ識別情報を表示装置へ送信する。また、画像データ供給装置は、輝度調整フィルタの輝度上昇度に合わせて、表示装置の光源の照度を低下させるように光源を制御するための光源調整値を算出し、表示装置へ送信する。そして、表示装置は、画像データ供給装置から受信した輝度調整フィルタ、または、そのフィルタ識別情報に対応する輝度調整フィルタ（あらかじめ表示装置にフィルタ識別情報と対応付けて格納されていることが望ましい）を原画像データに適用して、輝度を上昇させた輝度調整画像データを生成して表示する。また、表示装置は、画像データ供給装置から受信した光源調整値に基づいて、光源を制御する。ここで、表示装置の光源は、表示面を背面および前面の少なくともいずれか一方から照明するものであればよく、例えば、バックライトやフロントライトであってもよい。
【００２８】
よって、画像データの輝度を上げて、その分光源の照度を下げることにより、表示装置の省電力化が実現できる。そして、輝度調整フィルタの生成または選択のための計算、光源調整値の計算が、画像データ供給装置において行われるため、表示装置では、受信した輝度調整フィルタ（または、フィルタ識別情報）および光源調整値を用いて、輝度調整画像データを生成するとともに、光源を制御すればよい。すなわち、表示装置では、輝度調整フィルタの生成または選択のための計算、光源調整値の計算、および、原画像データの輝度を上昇させる程度に合わせて、表示装置の光源の照度を低下させるための光源調整値を計算する必要がない。
【００２９】
したがって、表示装置の装置構成が簡単である。また、画像データ供給装置では、表示装置よりも高性能な装置を利用することができるとともに、輝度調整フィルタ（または、フィルタ識別情報）および光源調整値をあらかじめ生成しておくことが可能な場合には、十分な時間をかけて行うことができるため、精度の高い結果を得ることができる。
【００３０】
なお、上記の画像データ供給装置および表示装置は、コンピュータによって実現してもよく、この場合には、コンピュータを上記各手段として動作させることにより上記の画像データ供給装置および表示装置をコンピュータにて実現させるための、画像データ供給装置および表示装置の制御プログラム、およびそれを記録したコンピュータ読み取り可能な記録媒体も、本発明の範疇に入る。
【図面の簡単な説明】
【００３１】
【図１】本発明の実施形態を示すものであり、一構成例である表示システムの画像データ供給装置および表示装置の構成を示す機能ブロック図である。
【図２】本発明の表示システムに係る、原画像データに固定フィルタを適用するモデルの構成を示す機能ブロック図である。
【図３】本発明の表示システムに係る、原画像データの輝度レベルが閾値（固定値）より暗い場合のみフィルタを適用するモデルの構成を示す機能ブロック図である。
【図４】本発明の表示システムに係る、原画像データの輝度レベルに応じて、あらかじめ搭載されているフィルタの中から最適なものを選択するモデルの構成を示す機能ブロック図である。
【図５】本発明の表示システムに係る、原画像データの輝度レベルに応じて、最適なフィルタを動的に生成するモデルの構成を示す機能ブロック図である。
【図６】本発明の実施形態を示すものであり、図１に示した構成例の変形例である表示システムのコンテンツ供給装置および表示装置の構成を示す機能ブロック図である。
【図７】本発明の実施形態を示すものであり、他の構成例である表示システムの画像データ供給装置および表示装置の構成を示す機能ブロック図である。
【図８】本発明の実施形態を示すものであり、図７に示した構成例の変形例である表示システムのコンテンツ供給装置および表示装置の構成を示す機能ブロック図である。
【図９】本発明の実施形態を示すものであり、さらに他の構成例である表示システムの画像データ供給装置および表示装置の構成を示す機能ブロック図である。
【図１０（ａ）】本発明の実施形態における画像データの輝度レベルの空間的な定義を説明する図である。
【図１０（ｂ）】本発明の実施形態における画像データの輝度レベルの空間的な定義を説明する図である。
【図１１（ａ）】本発明の実施形態における画像データの輝度レベルの時間的な定義を説明する図である。
【図１１（ｂ）】本発明の実施形態における画像データの輝度レベルの時間的な定義を説明する図である。
【図１２】本発明の実施形態における輝度調整フィルタの一例を説明する図である。
【図１３】本発明の実施形態における輝度調整フィルタの一例を説明する図である。
【図１４】本発明の実施形態におけるパラメータを説明する図である。
【図１５】従来の技術に係る表示装置の構成を示す機能ブロック図である。
【符号の説明】
【００３２】
１００    表示システム
１１０    画像データ供給装置
１１０′  コンテンツ供給装置
１１１    画像データ格納部
１１２    輝度レベル計算部（輝度レベル計算手段）
１１３    輝度調整フィルタ生成／選択部（輝度調整フィルタ決定手段）
１１４    輝度調整部（輝度調整手段）
１１５    画像送信部（画像送信手段）
１１６    バックライト調整値算出部（光源調整値算出手段）
１１７    バックライト調整値送信部（光源調整値送信手段）
１１８    コンテンツ作成部（コンテンツ作成手段、画像記録手段）
１１９    コンテンツ作成部（コンテンツ作成手段、画像記録手段）
１２０    表示装置
１２１    画像受信部（画像受信手段）
１２２    表示デバイス
１２３    バックライト調整値受信部（光源調整値受信手段）
１２４    バックライト調整部（光源調整手段）
１２５    バックライト（光源）
１２６    コンテンツ取得部（コンテンツ取得手段、画像読出手段）
１２９    コンテンツ取得部（コンテンツ取得手段、画像読出手段）
１３０    画像データ抽出部（画像データ抽出手段）
１３１    輝度レベル抽出部（輝度レベル抽出手段）
２００    表示システム
２１０    画像データ供給装置
２１０′  コンテンツ供給装置
２１１    画像送信部（画像送信手段）
２１２    輝度レベル送信部（輝度レベル送信手段）
２２０    表示装置
２２０′  表示装置
２２１    画像受信部（画像受信手段）
２２２    輝度レベル受信部（輝度レベル受信手段）
３００    表示システム
３１０    画像データ供給装置
３１１    輝度調整フィルタ送信部（輝度調整フィルタ送信手段）
３２０    表示装置
３２１    輝度調整フィルタ受信部（輝度調整フィルタ受信手段）
Ｄ    記録メディア
【発明を実施するための最良の形態】
【００３３】
本発明の一実施の形態について図１から図１４に基づいて説明すれば、以下のとおりである。【００３４】
例えば図１に示すように、本実施の形態に係る表示システムは、バックライト（光源）を有する表示装置と、該表示装置において表示される画像データを表示装置に供給する画像データ供給装置とを備えて構成される。【００３５】
上記表示システムは、表示装置の消費電力を抑えるために、画像データの輝度を上げて、その分バックライトの照度を下げるものである。そして、そのために必要となる輝度レベルの計算、輝度調整フィルタの生成あるいは選択、画像データの輝度調整、バックライト調整値（光源調整値）の算出は、通常膨大な計算量が必要となるが、上記表示システムでは、その一部またはすべてを画像データを供給する画像データ供給装置において行う。【００３６】
これにより、表示装置は高度な計算を高速に行う必要がなくなり、すべての計算を表示装置で行う場合に比べて簡単な装置構成で、省電力化が実現できる。また、画像データ供給装置では、十分な処理能力を備えた装置によって、十分な時間をかけて行うことができるため、輝度調整により良い結果を得ることができる。よって、放送やインターネットによる配信を利用してデータの受信と同時に表示する表示装置に特に好適である。【００３７】
なお、本実施の形態では、光源としてバックライトを備えた表示装置について説明するが、本発明はこれに限定されない。すなわち、本発明の光源は、表示装置の表示面を、該表示面の背面および前面の少なくともいずれか一方から照明するものであればよい。具体的には、光源は、表示面の背面に設けられるバックライトのほか、例えば、表示面の前面に設けられるフロントライトであってもよい。【００３８】
〔モデル〕
ここで、図２〜５を参照して、本発明の表示システムの基礎である４つのモデルについて説明する。なお、下記の４つのモデル（図２〜５）は、後述する本実施の形態の構成例１〜３（図１、６〜９）に組合せ可能である。【００３９】
（Ａ）固定フィルタ（常時）
図２は、あらゆる原画像データに固定フィルタを適用するモデルの構成を示す機能ブロック図である。【００４０】
図２に示すように、輝度調整部１１が、原画像データに、設定が固定された輝度調整フィルタを適用して、輝度を上昇させた輝度調整画像データを生成する。そして、表示デバイス１２が、輝度調整画像データを表示する。ここで、バックライト１３は、輝度調整部１１の輝度調整フィルタの輝度上昇度に合わせて照度を低下させるように、あらかじめ減光設定されている。【００４１】
（Ｂ）固定フィルタ（条件）
図３は、原画像データの輝度レベルが閾値（固定値）より暗い場合のみフィルタを適用するモデルの構成を示す機能ブロック図である。ここで、本発明において、輝度レベルとは、原画像データの輝度についての特徴量である。具体的には、例えば、原画像が静止画像の場合には、１枚の画像における輝度の平均値や最大値を、輝度レベルとして利用できる。また、原画像が動画像の場合には、直前の時間区間の画像における輝度の平均値や最大値を、現在の時間区間の輝度レベルとして利用できる。【００４２】
図３に示すように、輝度レベル計算部２１は、原画像データの輝度レベルを計算し、閾値（固定値）以上に明るい場合は、原画像データを表示デバイス２３にそのまま出力する。そして、表示デバイス２３が、原画像データをそのまま表示する。このとき、バックライト２５は、通常の照度で照明する。【００４３】
一方、原画像データの輝度レベルが閾値（固定値）より暗い場合は、輝度レベル計算部２１は、原画像データを輝度調整部２２へ出力するとともに、バックライトの調整を有効にする制御信号をバックライト調整部２４へ出力する。そして、輝度調整部２２は、原画像データに、輝度レベルが閾値より暗い場合に合わせて設定が固定された輝度調整フィルタを適用して、輝度を上昇させた輝度調整画像データを生成する。そして、表示デバイス２３が、輝度調整画像データを表示する。このとき、バックライト調整部２４は、輝度調整部２２の輝度調整フィルタの輝度上昇度に合わせて照度を低下させるように、バックライト２５を制御する。なお、バックライト調整部２４がバックライト２５の照度をどの程度低下させる（バックライト調整値）かは、あらかじめ設定されている。【００４４】
（Ｃ）フィルタ選択
図４は、原画像データの輝度レベルに応じて、あらかじめ搭載されているフィルタの中から最適なものを選択するモデルの構成を示す機能ブロック図である。【００４５】
図４に示すように、輝度レベル計算部３１は、原画像データの輝度レベルを計算する。そして、輝度調整フィルタ選択部３２は、輝度レベル計算部３１が計算した輝度レベルに応じて、あらかじめ輝度レベル毎に複数搭載されている輝度調整フィルタから１つを選択する。なお、輝度調整フィルタ選択部３２は、選択した輝度調整フィルタを輝度調整部３３およびバックライト調整部３５に指定するために、当該輝度調整フィルタを識別可能なフィルタＩＤを用いてもよい。【００４６】
その後、輝度調整部３３は、輝度調整フィルタ選択部３２によって選択された輝度調整フィルタを適用して、輝度を上昇させた輝度調整画像データを生成する。そして、表示デバイス３４が、輝度調整画像データを表示する。【００４７】
このとき、バックライト調整部３５は、輝度調整フィルタ選択部３２によって選択された輝度調整フィルタの輝度上昇度に合わせて照度を低下させるように、バックライト３６を制御する。なお、バックライト調整部３５が、輝度調整部３３が使用する輝度調整フィルタに合わせて、バックライト３６の照度をどの程度低下させるかは、輝度調整フィルタに対応付けてバックライト調整値としてあらかじめ設定されている。例えば、バックライト３６の照度を３０％にまで下げるときには、３０％照度用の輝度調整フィルタを使うことになる。【００４８】
（Ｄ）フィルタ動的生成
図５は、原画像データの輝度レベルに応じて、最適なフィルタを動的に生成するモデルの構成を示す機能ブロック図である。【００４９】
図５に示すように、輝度レベル計算部４１は、原画像データの輝度レベルを計算する。そして、輝度調整フィルタ生成部４２は、輝度レベル計算部４１が計算した輝度レベルに基づいて、輝度調整フィルタを生成する。輝度調整フィルタの生成方法としては、例えば、あらかじめ輝度レベルとガンマ曲線のγ値との対応関係を設定しておき、輝度レベル計算部４１が計算した輝度レベルに応じたγ値を取得して、ガンマ曲線を演算し、輝度調整フィルタを求める。【００５０】
その後、輝度調整部４３は、輝度調整フィルタ生成部４２によって生成された輝度調整フィルタを適用して、輝度を上昇させた輝度調整画像データを生成する。そして、表示デバイス４４が、輝度調整画像データを表示する。【００５１】
このとき、バックライト調整部４５は、輝度調整フィルタ生成部４２によって生成された輝度調整フィルタの輝度上昇度に合わせて照度を低下させるように、バックライト４６を制御する。具体的には、バックライト調整部４５は、輝度レベル計算部４１が計算した輝度レベルに基づいて、バックライト調整値を決定し、このバックライト調整値に基づいてバックライト４６を制御する。輝度レベルとバックライト調整値とはあらかじめ対応付けられて設定されている。【００５２】
〔構成例〕
以下、図１、６〜９を参照して、本実施の形態に係る表示システムの構成例１〜３について説明する。なお、構成例１〜３（図１、６〜９）は、上述した４つのモデル（図２〜５）を実装するように、構成を変更可能である。【００５３】
（１）画像データ供給装置において、輝度レベル計算、フィルタ決定、輝度調整
構成例１として、図１を参照しながら、表示システム１００について説明する。図１は、表示システム１００の画像データ供給装置１１０および表示装置１２０の構成を示す機能ブロック図である。【００５４】
図１に示すように、表示システム１００は、画像データを送信する画像データ供給装置１１０と、画像データを受信して表示する表示装置１２０とからなる。表示システム１００は、画像データ供給装置１１０において、輝度レベル計算、フィルタ決定、輝度調整を行う。表示装置１２０では、受信した画像データをそのまま表示する。【００５５】
画像データ供給装置１１０は、表示装置１２０においてバックライト（光源）１２５の照度を決定するためのバックライト調整値を送信する。バックライト調整値としては、例えば、原画像データの輝度レベル、あるいは画像をどのくらい補正したかを示すパラメータを用いることができる。そして、表示装置１２０では、送信されてきたバックライト調整値に基づき、バックライト１２５の照度調整を行う。【００５６】
画像データ供給装置１１０および表示装置１２０の具体的な構成は以下のとおりである。【００５７】
画像データ供給装置１１０は、画像データ格納部１１１、輝度レベル計算部（輝度レベル計算手段）１１２、輝度調整フィルタ生成／選択部（輝度調整フィルタ決定手段）１１３、輝度調整部（輝度調整手段）１１４、画像送信部（画像送信手段）１１５、バックライト調整値算出部（光源調整値算出手段）１１６、バックライト調整値送信部（光源調整値送信手段）１１７を備えて構成されている。【００５８】
画像データ格納部１１１は、表示装置１２０の表示デバイス１２２において表示する画像の、輝度調整前の原画像データを格納している。原画像データの形式は、輝度レベルが計算可能であり、該輝度レベルに基づいて輝度調整が可能であれば、任意である。すなわち、原画像データは、静止画像、動画像のどちらでもよい。もちろん、ビットマップ形式のＲＧＢデータであってもよい。【００５９】
輝度レベル計算部１１２は、画像データ格納部１１１から読み出した原画像データの輝度レベルを計算する。なお、輝度レベルについては、後述する。【００６０】
輝度調整フィルタ生成／選択部１１３は、輝度レベル計算部１１２が計算した輝度レベルに基づいて、輝度調整フィルタを決定する。なお、輝度調整フィルタ生成／選択部１１３は、輝度調整フィルタを、所定のアルゴリズムに従って生成してもよいし、あらかじめ登録しておいた複数の輝度調整フィルタから選択してもよい。【００６１】
輝度調整部１１４は、輝度調整フィルタ生成／選択部１１３によって決定された輝度調整フィルタを適用して、輝度を上昇させた輝度調整画像データを生成する。【００６２】
画像送信部１１５は、輝度調整部１１４によって生成された輝度調整画像データを表示装置１２０へ送信する。【００６３】
バックライト調整値算出部１１６は、輝度レベル計算部１１２が計算した輝度レベルに基づいて、輝度調整部１１４が使用する輝度調整フィルタの輝度上昇度に合わせて、表示装置１２０のバックライト１２５の照度を低下させるようにバックライト１２５を制御するためのバックライト調整値を算出する。【００６４】
バックライト調整値送信部１１７は、バックライト調整値算出部１１６によって算出されたバックライト調整値を表示装置１２０へ送信する。【００６５】
また、表示装置１２０は、バックライト１２５を有する表示デバイス１２２を備えており、さらに、画像受信部（画像受信手段）１２１、バックライト調整値受信部（光源調整値受信手段）１２３、バックライト調整部（光源調整手段）１２４を備えて構成されている。【００６６】
画像受信部１２１は、画像データ供給装置１１０から輝度調整画像データを受信する。受信した輝度調整画像データはそのまま表示デバイス１２２において表示される。【００６７】
バックライト調整値受信部１２３は、画像データ供給装置１１０からバックライト調整値を受信する。【００６８】
バックライト調整部１２４は、バックライト調整値受信部１２３が受信したバックライト調整値に基づいて、バックライト１２５を制御する。【００６９】
なお、表示デバイス１２２は、駆動回路を含むものとする。すなわち、液晶パネルの場合、表示デバイス１２２は、液晶パネルと、液晶パネルを駆動するための信号処理および駆動パルスを発生する液晶駆動回路とを含んで構成される。また、バックライト１２５は、入力信号に従ってバックライトを点灯駆動するバックライト駆動回路を含むものとする。【００７０】
以上の構成により、表示システム１００では、画像データ供給装置１１０は、原画像データの輝度レベルを計算し、輝度レベルに基づいて原画像データの輝度を上昇させた輝度調整画像データを生成し、輝度調整画像データを表示装置１２０に送信する。そして、表示装置１２０は、画像データ供給装置１１０から輝度調整画像データを受信して表示するとともに、輝度調整画像データの原画像データからの輝度の上昇の程度に合わせて、照度を低下させるようにバックライト１２５を制御する。【００７１】
よって、画像データの輝度を上げて、その分バックライト１２５の照度を下げることにより、表示装置１２０の省電力化が実現できる。そして、原画像データの輝度レベルの計算と、輝度調整画像データの生成とを、画像データ供給装置１１０において行うため、表示装置１２０では、受信した輝度調整画像データをそのまま表示するだけでよい。すなわち、表示装置１２０では、輝度調整のための計算が不要である。【００７２】
したがって、表示装置１２０の装置構成が簡単である。また、画像データ供給装置１１０では、表示装置１２０よりも高性能な装置を利用することができるとともに、輝度調整画像データをあらかじめ生成しておくことが可能な場合には、十分な時間をかけて行うことができるため、輝度調整により良い結果を得ることができる。【００７３】
さらに、画像データ供給装置１１０は、原画像データの輝度を上昇させる程度に合わせて、表示装置１２０のバックライト１２５の照度を低下させるようにバックライト１２５を制御するためのバックライト調整値を算出し、表示装置１２０へ送信する。そして、表示装置１２０は、画像データ供給装置１１０から受信したバックライト調整値に基づいて、バックライト１２５を制御する。【００７４】
よって、バックライト調整値の計算を、画像データ供給装置１１０において行うため、表示装置１２０では、受信したバックライト調整値をそのまま用いてバックライト１２５を制御するだけでよい。すなわち、表示装置１２０では、原画像データの輝度を上昇させる程度に合わせて、表示装置１２０のバックライトの照度を低下させるためのバックライト調整値を計算する必要がない。【００７５】
したがって、表示装置１２０の装置構成が簡単である。また、画像データ供給装置１１０では、表示装置１２０よりも高性能な装置を利用することができるとともに、バックライト調整値をあらかじめ生成しておくことが可能な場合には、十分な時間をかけて行うことができるため、精度の高い結果を得ることができる。【００７６】
なお、バックライト調整部１２４を備えない表示装置の場合であっても、ユーザに対して「バックライトを手動で暗くしてください」等のメッセージを提示して、バックライトの照度を変更してもらうことで、表示装置１２０と同等の画質の維持および省電力化が実現できる。【００７７】
次に、上記構成例１の変形例として、図６を参照しながら、表示システム１００′について説明する。図６は、表示システム１００′のコンテンツ供給装置１１０′および表示装置１２０′の構成を示す機能ブロック図である。【００７８】
表示システム１００′は、表示システム１００（図１）が輝度調整画像データとバックライト調整値とを別々に送信していたのに対して、両者を１つのコンテンツにまとめて送信する点が異なる。よって、表示システム１００′は、基本的構成が表示システム１００（図１）と同じであるため、以下では相違点のみ説明する。【００７９】
図６に示すように、コンテンツ供給装置１１０′は、画像データ供給装置１１０と比較して、画像送信部１１５およびバックライト調整値送信部１１７の代わりに、コンテンツ作成部（コンテンツ作成手段）１１８を備える点が異なる。【００８０】
コンテンツ作成部１１８は、輝度調整部１１４によって生成された輝度調整画像データと、バックライト調整値算出部１１６によって算出されたバックライト調整値とを、１つのコンテンツにまとめて表示装置１２０′へ送信する。【００８１】
また、表示装置１２０′は、表示装置１２０と比較して、画像受信部１２１およびバックライト調整値受信部１２３の代わりに、コンテンツ取得部１２６、画像データ抽出部１２７、バックライト調整値抽出部１２８を備える点が異なる。【００８２】
コンテンツ取得部１２６は、コンテンツ供給装置１１０′からコンテンツを取得する。【００８３】
画像データ抽出部１２７は、コンテンツ取得部１２６が取得したコンテンツから輝度調整画像データを抽出する。抽出した輝度調整画像データはそのまま表示デバイス１２２において表示される。【００８４】
バックライト調整値抽出部１２３は、コンテンツ取得部１２６が取得したコンテンツからバックライト調整値を抽出し、バックライト調整部１２４へ出力する。【００８５】
上記の構成により、輝度調整された画像データおよびバックライト調整値から電子書籍等のコンテンツを作成して、ビューア（表示装置１２０′）に供給し、ビューアでは、取得したコンテンツから、画像データとバックライト調整値とを分離して、表示を行う。このように、１つのコンテンツとしてまとめて扱うことができるため、コンテンツ供給装置１１０′から表示装置１２０′へのコンテンツの供給は、ネットワーク経由や放送局からの放送波の伝送による配布・配信のほか、ＣＤ、ＤＶＤなどの記録メディアＤによる配布も容易である。【００８６】
具体的には、図６に示した表示システム１００′では、コンテンツ供給装置１１０′において、輝度調整画像データおよびバックライト調整値をコンテンツ作成部（画像記録手段）１１８によって記録メディアＤに記録し、表示装置１２０′において、コンテンツ取得部（画像読出手段）１２６によって記録メディアＤから輝度調整画像データおよびバックライト調整値を読み出すように構成することができる。この構成によれば、コンテンツ供給装置１１０′と表示装置１２０′との間で、輝度調整画像データおよびバックライト調整値を記録メディアＤを介して静的に受け渡しすることが可能となる。【００８７】
これに対して、図１に示した表示システム１００では、画像送信部１１５および画像受信部１２１の代わりに、記録メディアＤに対して輝度調整画像データの記録・読出しを行う画像記録部および画像読出部を設ければよい。すなわち、画像データ供給装置１１０において、輝度調整部１１４によって生成された輝度調整画像データを画像記録部（図示せず、画像記録手段）によって記録メディアＤに記録し、表示装置１２０において、画像読出部（図示せず、画像読出手段）によって記録メディアＤから輝度調整画像データを読み出して表示デバイス１２２に表示するように構成することができる。この構成によれば、画像データ供給装置１１０と表示装置１２０との間で、輝度調整画像データを記録メディアＤを介して静的に受け渡しすることが可能となる。【００８８】
（２）画像データ供給装置において輝度レベル計算、表示装置においてフィルタ決定、輝度調整
構成例２として、図７を参照しながら、表示システム２００について説明する。図７は、表示システム２００の画像データ供給装置２１０および表示装置２２０の構成を示す機能ブロック図である。なお、前記の構成例１において示した部材と同一の機能を有する部材には、同一の符号を付し、その説明を省略する。【００８９】
図７に示すように、表示システム２００は、画像データを送信する画像データ供給装置２１０と、画像データを受信して表示する表示装置２２０とからなる。表示システム２００は、画像データ供給装置２１０において輝度レベル計算を行い、表示装置２２０においてフィルタ決定および輝度調整を行って、輝度調整画像データを表示する。また、表示装置２２０では、送信されてきた輝度レベルに基づいて、バックライト調整値を算出し、バックライト１２５の照度調整を行う。【００９０】
画像データ供給装置２１０および表示装置２２０の具体的な構成は以下のとおりである。【００９１】
画像データ供給装置２１０は、画像データ格納部１１１、輝度レベル計算部（輝度レベル計算手段）１１２、画像送信部（画像送信手段）２１１、輝度レベル送信部（輝度レベル送信手段）２１２を備えて構成されている。【００９２】
輝度レベル計算部１１２は、画像データ格納部１１１から読み出した原画像データの輝度レベルを計算する。【００９３】
画像送信部２１１は、画像データ格納部１１１から読み出した原画像データを表示装置２２０へ送信する。【００９４】
輝度レベル送信部２１２は、輝度レベル計算部１１２が計算した輝度レベルを表示装置２２０へ送信する。【００９５】
また、表示装置２２０は、バックライト１２５を有する表示デバイス１２２を備えており、さらに、画像受信部（画像受信手段）２２１、輝度レベル受信部（輝度レベル受信手段）２２２、輝度調整フィルタ生成／選択部（輝度調整フィルタ決定手段）１１３、輝度調整部（輝度調整手段）１１４、バックライト調整値算出部（光源調整値算出手段）１１６を備えて構成されている。ここで、輝度調整フィルタ生成／選択部１１３、輝度調整部１１４、バックライト調整値算出部１１６は、画像データ供給装置１１０（図１）に設けられていた機能ブロックと同一である。【００９６】
画像受信部２２１は、画像データ供給装置２１０から原画像データを受信する。受信した原画像データは、輝度調整部１１４において輝度調整画像データに調整された後、表示デバイス１２２において表示される。【００９７】
輝度レベル受信部２２２は、画像データ供給装置２１０から輝度レベルを受信する。受信した輝度レベルは、輝度調整フィルタ生成／選択部１１３およびバックライト調整値算出部１１６へ出力される。【００９８】
以上の構成により、表示システム２００では、画像データ供給装置２１０は、原画像データの輝度レベルを計算して、表示装置２２０へ送信する。そして、表示装置２２０は、画像データ供給装置２１０から受信した輝度レベルに基づいて、原画像データの輝度を上昇させた輝度調整画像データを生成して、表示するとともに、原画像データの輝度を上昇させる程度に合わせて、照度を低下させるようにバックライト１２５を制御する。【００９９】
よって、画像データの輝度を上げて、その分バックライト１２５の照度を下げることにより、表示装置２２０の省電力化が実現できる。そして、原画像データの輝度レベルの計算を、画像データ供給装置２１０において行うため、表示装置２２０では、受信した輝度レベルを用いて、輝度調整画像データを生成すればよい。すなわち、表示装置２２０では、輝度レベルのための計算が不要である。【０１００】
したがって、表示装置２２０の装置構成が簡単である。また、画像データ供給装置２１０では、表示装置２２０よりも高性能な装置を利用することができるとともに、輝度レベルをあらかじめ生成しておくことが可能な場合には、十分な時間をかけて行うことができるため、精度の高い結果を得ることができる。【０１０１】
なお、表示システム２００によれば、表示装置が輝度調整およびバックライト調整の機能（輝度レベル受信部２２２、輝度調整フィルタ生成／選択部１１３、輝度調整部１１４、バックライト調整値算出部１１６、バックライト調整部１２４）を備えない場合であっても、画像データ供給装置２１０から受信するのが原画像データであるため、表示に影響がない。この点、表示システム１００（図１）の場合、画像データ供給装置２１０から受信するのが輝度調整画像データであるため、上記の調整機能を有さない表示装置では明るく表示される。【０１０２】
次に、上記構成例２の変形例として、図８を参照しながら、表示システム２００′について説明する。図８は、表示システム２００′のコンテンツ供給装置２１０′および表示装置２２０′の構成を示す機能ブロック図である。【０１０３】
表示システム２００′は、表示システム２００（図７）が原画像データと輝度レベルとを別々に送信していたのに対して、両者を１つのコンテンツにまとめて送信する点が異なる。よって、表示システム２００′は、基本的構成が表示システム２００（図７）と同じであるため、以下では相違点のみ説明する。【０１０４】
図８に示すように、コンテンツ供給装置２１０′は、画像データ供給装置２１０と比較して、画像送信部２１１および輝度レベル送信部２１２の代わりに、コンテンツ作成部（コンテンツ作成手段）１１９を備える点が異なる。【０１０５】
コンテンツ作成部１１９は、画像データ格納部１１１から読み出した原画像データと、輝度レベル計算部１１２によって計算された輝度レベルとを、１つのコンテンツにまとめて表示装置２２０′へ送信する。【０１０６】
また、表示装置２２０′は、表示装置２２０と比較して、画像受信部２２１および輝度レベル受信部２２２の代わりに、コンテンツ取得部（コンテンツ取得手段）１２９、画像データ抽出部（画像データ抽出手段）１３０、輝度レベル抽出部（輝度レベル抽出手段）１３１を備える点が異なる。【０１０７】
コンテンツ取得部１２９は、コンテンツ供給装置２１０′からコンテンツを取得する。【０１０８】
画像データ抽出部１３０は、コンテンツ取得部１２９が取得したコンテンツから原画像データを抽出する。抽出した原画像データは、輝度調整部１１４において調整された後、表示デバイス１２２において表示される。【０１０９】
輝度レベル抽出部１３１は、コンテンツ取得部１２９が取得したコンテンツから輝度レベルを抽出し、バックライト調整値算出部１１６へ出力する。【０１１０】
上記の構成により、原画像データおよび輝度レベルからスライドショー等のコンテンツを作成して、ビューア（表示装置２２０′）に供給し、ビューアでは、取得したコンテンツから、原画像データと輝度レベルとを分離して、フィルタの決定、輝度調整、バックライトの調整を行う。このように、１つのコンテンツとしてまとめて扱うことができるため、コンテンツ供給装置２１０′から表示装置２２０′へのコンテンツの供給は、ネットワーク経由や放送局からの放送波の伝送による配布・配信のほか、ＣＤ、ＤＶＤなどの記録メディアＤによる配布も容易である。【０１１１】
具体的には、図８に示した表示システム２００′では、コンテンツ供給装置２１０′において、原画像データおよび輝度レベルをコンテンツ作成部（画像記録手段）１１９によって記録メディアＤに記録し、表示装置２２０′において、コンテンツ取得部（画像読出手段）１２９によって記録メディアＤから原画像データおよび輝度レベルを読み出すように構成することができる。この構成によれば、コンテンツ供給装置２１０′と表示装置２２０′との間で、原画像データおよび輝度レベルを記録メディアＤを介して静的に受け渡しすることが可能となる。【０１１２】
これに対して、図７に示した表示システム２００では、画像送信部２１１および画像受信部２２１の代わりに、記録メディアＤに対して原画像データの記録・読出しを行う画像記録部および画像読出部を設ければよい。すなわち、画像データ供給装置２１０において、画像データ格納部１１１から読み出した原画像データを画像記録部（図示せず、画像記録手段）によって記録メディアＤに記録し、表示装置２２０において、画像読出部（図示せず、画像読出手段）によって記録メディアＤから原画像データを読み出すように構成することができる。この構成によれば、画像データ供給装置２１０と表示装置２２０との間で、原画像データを記録メディアＤを介して静的に受け渡しすることが可能となる。【０１１３】
なお、前述の「固定フィルタ（条件）」を用いて以下のように構成することもできる。すなわち、表示装置２００において、輝度調整フィルタ生成／選択部１１３が、輝度レベル受信部２２２が受信した輝度レベルが固定の閾値より暗いと判定した場合、輝度調整部１１４が、原画像データに輝度レベルが上記閾値より暗い場合に合わせて設定が固定された輝度調整フィルタを適用して、輝度を上昇させた輝度調整画像データを生成し、バックライト調整部１２４が、輝度調整部１１４が生成した輝度調整画像データを表示する際、輝度調整フィルタの輝度上昇度に合わせてあらかじめ設定された照度にバックライト１２５の照度を低下させてもよい。【０１１４】
また、前述の「選択フィルタ」を用いて以下のように構成することもできる。すなわち、表示装置２００において、輝度調整フィルタ生成／選択部１１３が、輝度レベル受信部２２２が受信した輝度レベルに応じて、輝度レベル毎にあらかじめ用意された複数の輝度調整フィルタから１つを選択し、輝度調整部１１４が、該選択した輝度調整フィルタを上記原画像データに適用して、輝度を上昇させた輝度調整画像データを生成し、バックライト調整部１２４が、輝度調整部１１４が選択した輝度調整フィルタに対応付けてあらかじめ設定されている照度にバックライト１２５の照度を低下させてもよい。【０１１５】
（３）画像データ供給装置において輝度レベル計算、フィルタ決定、表示装置において輝度調整
構成例３として、図９を参照しながら、表示システム３００について説明する。図９は、表示システム３００の画像データ供給装置３１０および表示装置３２０の構成を示す機能ブロック図である。なお、前記の構成例１・２において示した部材と同一の機能を有する部材には、同一の符号を付し、その説明を省略する。【０１１６】
図９に示すように、表示システム３００は、画像データを送信する画像データ供給装置３１０と、画像データを受信して表示する表示装置３２０とからなる。表示システム３００は、画像データ供給装置３１０において輝度レベル計算、フィルタ決定を行い、輝度調整フィルタを表示装置３２０へ送信する。表示装置３２０では、受信した輝度調整フィルタを用いて輝度調整を行って、輝度調整画像データを表示する。また、表示装置３２０では、送信されてきたバックライト調整値に基づいて、バックライト１２５の照度調整を行う。【０１１７】
画像データ供給装置３１０および表示装置３２０の具体的な構成は以下のとおりである。【０１１８】
画像データ供給装置３１０は、画像データ格納部１１１、輝度レベル計算部（輝度レベル計算手段）１１２、輝度調整フィルタ生成／選択部（輝度調整フィルタ決定手段）１１３、バックライト調整値算出部（光源調整値算出手段）１１６、バックライト調整値送信部（光源調整値送信手段）１１７、画像送信部（画像送信手段）２１１を備えており、さらに、輝度調整フィルタ送信部（輝度調整フィルタ送信手段）３１１を備えて構成されている。ここで、画像データ格納部１１１、輝度レベル計算部１１２、輝度調整フィルタ生成／選択部１１３、バックライト調整値算出部１１６、バックライト調整値送信部１１７は、画像データ供給装置１１０（図１）に設けられていた機能ブロックと同一である。また、画像送信部２１１は、画像データ供給装置２１０（図７）に設けられていた機能ブロックと同一である。【０１１９】
輝度調整フィルタ送信部３１１は、輝度調整フィルタ生成／選択部１１３が決定した輝度調整フィルタ、または、該輝度調整フィルタを識別可能なフィルタ識別情報を表示装置３２０へ送信する。【０１２０】
また、表示装置３２０は、バックライト１２５を有する表示デバイス１２２を備えており、さらに、画像受信部（画像受信手段）２２１、輝度調整部（輝度調整手段）１１４、バックライト調整値受信部（光源調整値受信手段）１２３、バックライト調整部（光源調整手段）１２４に加えて、輝度調整フィルタ受信部（輝度調整フィルタ受信手段）３２１を備えて構成されている。ここで、バックライト調整値受信部１２３、バックライト調整部１２４は、表示装置１２０（図１）に設けられていた機能ブロックと同一である。また、画像受信部２２１、輝度調整部１１４は、表示装置２２０（図７）に設けられていた機能ブロックと同一である。【０１２１】
輝度調整フィルタ受信部３２１は、画像データ供給装置３１０から輝度調整フィルタ、または、該輝度調整フィルタを識別可能なフィルタ識別情報を表示装置３２０へ送信する。そして、輝度調整部１１４は、輝度調整フィルタ受信部３２１が受信した輝度調整フィルタ、または、フィルタ識別情報に対応する輝度調整フィルタを用いて、輝度調整画像データを生成する。なお、フィルタ識別情報に対応する輝度調整フィルタは、表示装置３２０にあらかじめ格納しておくものとする。【０１２２】
以上の構成により、表示システム３００では、画像データ供給装置３１０は、原画像データの輝度レベルを計算し、輝度レベルに基づいて、輝度調整フィルタを決定し、該決定した輝度調整フィルタ、または、そのフィルタ識別情報を表示装置３２０へ送信する。また、画像データ供給装置３１０は、輝度調整フィルタの輝度上昇度に合わせて、表示装置３２０のバックライト１２５の照度を低下させるようにバックライト１２５を制御するためのバックライト調整値を算出し、表示装置３２０へ送信する。そして、表示装置３２０は、画像データ供給装置３１０から受信した輝度調整フィルタ、または、そのフィルタ識別情報に対応する輝度調整フィルタ（あらかじめ表示装置３２０にフィルタ識別情報と対応付けて格納されていることが望ましい）を原画像データに適用して、輝度を上昇させた輝度調整画像データを生成して表示する。また、表示装置３２０は、画像データ供給装置３１０から受信したバックライト調整値に基づいて、バックライト１２５を制御する。【０１２３】
よって、画像データの輝度を上げて、その分バックライト１２５の照度を下げることにより、表示装置３２０の省電力化が実現できる。そして、輝度調整フィルタの生成または選択のための計算、バックライト調整値の計算を、画像データ供給装置３１０において行うため、表示装置３２０では、受信した輝度調整フィルタ（または、フィルタ識別情報）およびバックライト調整値を用いて、輝度調整画像データを生成するとともに、バックライト１２５を制御すればよい。すなわち、表示装置３２０では、輝度調整フィルタの生成または選択のための計算、バックライト調整値の計算、および、原画像データの輝度を上昇させる程度に合わせて、バックライト１２５の照度を低下させるためのバックライト調整値を計算する必要がない。【０１２４】
したがって、表示装置３２０の装置構成が簡単である。また、画像データ供給装置３１０では、表示装置３２０よりも高性能な装置を利用することができるとともに、輝度調整フィルタ（または、フィルタ識別情報）およびバックライト調整値をあらかじめ生成しておくことが可能な場合には、十分な時間をかけて行うことができるため、精度の高い結果を得ることができる。【０１２５】
なお、表示システム３００によれば、表示装置が輝度調整およびバックライト調整の機能（輝度調整フィルタ受信部３２１、輝度調整部１１４、バックライト調整値受信部１２３、バックライト調整部１２４）を備えない場合であっても、画像データ供給装置３１０から受信するのが原画像データであるため、表示に影響がない。この点、表示システム１００（図１）の場合、画像データ供給装置２１０から受信するのが輝度調整画像データであるため、上記の調整機能を有さない表示装置では明るく表示される。【０１２６】
また、図９に示した表示システム３００では、構成例２の表示システム２００（図７）と同様に、画像送信部２１１および画像受信部２２１の代わりに、記録メディアＤに対して原画像データの記録・読出しを行う画像記録部および画像読出部を設けてもよい。すなわち、画像データ供給装置３１０において、画像データ格納部１１１から読み出した原画像データを画像記録部（図示せず、画像記録手段）によって記録メディアＤに記録し、表示装置３２０において、画像読出部（図示せず、画像読出手段）によって記録メディアＤから原画像データを読み出すように構成することができる。この構成によれば、画像データ供給装置３１０と表示装置３２０との間で、原画像データを記録メディアＤを介して静的に受け渡しすることが可能となる。【０１２７】
〔輝度レベル〕
図１０、１１を参照しながら、本発明における輝度レベルについて説明する。【０１２８】
画像データの輝度レベルを決定する方法としては、（１）空間的に定義する、（２）時間的に定義するの２通りある。【０１２９】
（１）空間的に定義
静止画像データに対して、画像の全領域面（図１０（ａ））の画素の輝度の平均値を算出して、それを当該静止画像データに対する輝度レベルとする。具体的には、例えば、全領域の各画素のＲＧＢ値から各画素の輝度を算出し、全画素の輝度の平均値を当該静止画像データの輝度とする。なお、ＲＧＢの各値が大きくなればなるほど輝度は高くなり、逆に小さくなるほど輝度は小さくなる。【０１３０】
また、画像の領域内における位置に応じて画素に重みをつけてもよい。例えば、図１０（ｂ）に示すように、画像の中心部の画素には１．０を、周辺部の画素には０．８の重み付けをして、輝度に重みをした平均値を当該静止画像データに対する輝度レベルとする。これは、中心部には重要な情報が含まれており、周辺部には重要な情報が少ないという考えからくるもので、中心部に行くほど重み付けを大きくしている。なお、重みの付け方は任意であり、図１０（ｂ）に示すように、１．０と０．８の２段階には限定されない。すなわち、画像の中心からの距離が遠くなるにつれて重み付けが小さくなるように、画像の中心からの距離に応じて、多段階に重み付けを変えてもよい。【０１３１】
ここで、上記の説明では、静止画像データの場合について説明したが、動画像データは静止画像データを複数枚集めたものとみなすことができる。そこで、動画像データに対しても、それを構成する静止画像データに対して、図１０（ａ）または図１０（ｂ）の処理を行えば、動画像データに対しても空間的に定義した輝度レベルを適用することができる。【０１３２】
また、動画像データを構成する全コマ（全静止画像データ）に対して上記の処理を行うのではなく、多少間引く、例えば１秒間当たり２コマの静止画像データに対して、上記の処理を行ってもよい。【０１３３】
（２）時間的に定義
動画像データに対して、（１）の空間的に定義する方法とは別で、時間的に輝度レベルを定義する方法を説明する。【０１３４】
図１１（ａ）に示すように、例えば３０分の動画像データがある場合に、５分毎に区切り、その１つ前の区間の最後５秒間の輝度の平均値を計算し、その値を次の区間の輝度レベルとする。なお、動画像データを区切る区間の長さおよび輝度の平均値を求める期間の長さは、任意に設定できる。図１１（ａ）の場合、直前の区間の輝度の平均値を次の区間の輝度レベルとするため、放送コンテンツ等のリアルタイム性を有するコンテンツに対して好適である。【０１３５】
また、図１１（ｂ）に示すように、場面毎に輝度の平均値を求めて、その値をその場面（区間）の輝度レベルとしてもよい。図１１（ｂ）は、シーンとＣＭとに分割し、それぞれにおいて輝度レベルを求める。図１１（ｂ）の場合、そのシーンの輝度の平均値をそのシーンの輝度レベルとするため、リアルタイム性を有するコンテンツに対しては適用できず、蓄積コンテンツ等の非リアルタイム性を有するコンテンツに好適である。【０１３６】
ここで、シーン毎に分割する方法としては、図１１（ｂ）に示すようにＣＭを区切りとするほか、例えば、明るさが大きく変化する単位、シーン毎の輝度の平均が大きく変化するシーン境界、番組単位、コンテンツの種類（スポーツ、ドラマ、映画などのジャンル）単位で区切ることが考えられる。【０１３７】
〔輝度調整〕
図１２、１３を参照しながら、本発明における輝度調整について説明する。【０１３８】
本発明において輝度調整のために用いる輝度調整フィルタは、特に限定されない。具体的には、図１２に示すように直線状の関数でもよいし、図１３に示すようにガンマ曲線でもよいし、階段状に定義した関数でもよい。【０１３９】
一般に、画像データのＲＧＢ値を同じ割合で増やせば画像は明るくなる。そして、画像が明るくなった分だけバックライトの照度を下げてもユーザの目から見ると同じ明るさに見える。本発明はこのことを利用して、省電力化を図るものである。しかし、図１２に示すように、画像データを補正しすぎると、もともと明るい部分が全て白色になり（白抜け）コントラストの無い画面となる。【０１４０】
図１３は、ガンマ曲線による輝度調整の説明図である。ガンマ曲線（γが大きいほど曲線が急になり、大きく補正される）を用いると、明るさが飽和することはなくなり、ある程度コントラストを維持したまま明るくできる。しかし、画像全体の明るさによって、どこまで補正できるかが変わってくるため、あまり大きな変化をさせることができない。すなわち、明るい画像をさらに明るくすると、図１２と同様に全体が白っぽくなる。【０１４１】
〔パラメータのデータ構造〕
図１４を参照しながら、本発明で用いるパラメータについて説明する。【０１４２】
図１４に示すように、パラメータのカテゴリには、バックライトパラメータ、フィルタパラメータ、適用フィルタ、輝度パラメータがある。【０１４３】
バックライトパラメータには、番組（コンテンツ）を一意に示すＩＤである「番組ＩＤ」、バックライトの調整量を示す「バックライト調整値」が含まれる。【０１４４】
フィルタパラメータには、番組（コンテンツ）を一意に示すＩＤである「番組ＩＤ」、フィルタを適用するか否かを指定する「Ｏｎ／Ｏｆｆ情報」、適用するフィルタを指定する「適用フィルタ番号」が含まれる。【０１４５】
適用フィルタには、番組（コンテンツ）を一意に示すＩＤである「番組ＩＤ」、フィルタのデータである「本体」が含まれる。【０１４６】
輝度パラメータには、番組（コンテンツ）を一意に示すＩＤである「番組ＩＤ」、番組（コンテンツ）の明るさをパーセントで表した「輝度レベル」が含まれる。【０１４７】
ここで、上述した表示システム１００・１００′・３００（図１、６、９）におけるバックライト調整値の送信は、上記「バックライトパラメータ」を用いて行われる。また、上述した表示システム２００・２００′（図７、８）における輝度レベルの送信は、上記「輝度パラメータ」を用いて行われる。また、表示システム３００（図９）におけるフィルタの送信は、上記「フィルタパラメータ」および「適用フィルタ」を用いて行われる。【０１４８】
なお、「バックライトパラメータ」、「フィルタパラメータ」、「輝度パラメータ」、および「適用フィルタ」のように、４つのパラメータカテゴリに分けて送信する場合を示したが、複数のパラメータカテゴリを組み合わせて送信してもよい。この場合は、重複する「番組ＩＤ」は１つで良い。また、図１４で示した各値は、一例であり、これらの値に限定されない。【０１４９】
〔画像データとパラメータとの同期〕
上記〔パラメータのデータ構造〕において説明したように、各パラメータカテゴリが持つ「番組ＩＤ」を用いることで、それぞれ同期を取ることができる。【０１５０】
以下、パラメータを取得する方法について説明する。【０１５１】
（１）同期して取得
パラメータを送信する方法として、画像データに埋め込む方法がある。例えば、データ間のすきまに埋め込む方法や、ＭＰＥＧ（Moving Pictures Experts Group）内のデータ領域等に埋め込む方法がある。また、データ専用のデータ通信路を用いることで、これらのパラメータ情報を送信することもできる。【０１５２】
（２）非同期で取得
ＥＰＧ（Electronic Program Guide）に埋め込む方法がある。この場合、上記〔パラメータのデータ構造〕において説明したパラメータの全てを埋め込んで送ってもよいし、パラメータカテゴリを識別できるようなＩＤのみを送ってもよい。後者の場合、ＥＰＧに埋め込まれたＩＤから、そのＩＤに該当するパラメータカテゴリを抽出する。【０１５３】
なお、適用フィルタはＥＰＧに埋め込まずに、別に送信してもよい。この場合、パラメータカテゴリ内に含まれる番組ＩＤを使用することで、別にフィルタを送信しても、該当のフィルタを抽出することができる。【０１５４】
また、ネットワークを経由して、パラメータを取得しにいくものであっても構わない。【０１５５】
例えば、フィルタのように、容量の大きいものは供給装置から送信することを行わず、表示装置からネットワーク経由等で取得しに行ってもよい。この場合、表示装置は、取得したいフィルタを識別できるＩＤ（例えば、適用フィルタ番号）を供給装置に送信し、供給装置は送られてきたＩＤに応じて、該当するフィルタを表示装置に送信する。これにより、必要なフィルタを必要な時にだけ取得するので、無駄なデータ送信を省くことができる。【０１５６】
また、表示装置では、一度受信したフィルタをキャッシュしておいてもよい。この場合、表示装置では、使用するフィルタが既にキャッシュされているか否かをチェックし、既にキャッシュされている場合は当該フィルタを用いる。もし、フィルタがキャッシュされていない場合、表示装置は取得したいフィルタを識別できるＩＤを供給装置に送信して該当するフィルタを取得し、取得したフィルタをキャッシュしておく。なお、キャッシュするための領域が存在しない場合はキャッシュしなくてもよいし、所定期間経過しても使用されないフィルタは適宜削除するようにしても構わない。【０１５７】
〔その他〕
（１）本発明の表示装置は、液晶パネルを備えたテレビ受信機能付き携帯電話に適用できるが、これには限定されない。すなわち、本発明の表示装置は、バックライトやフロントライト等の表示面を背面あるいは前面から照明する光源を有するすべての表示装置に適用可能である。さらに、パソコンに代表される情報機器機能に融合された装置であってもよい。【０１５８】
表示装置が備える光源としては、ディスプレイ背面に複数個の蛍光灯などからなる多灯式バックライトを使用した例が一般的であるが、反射型液晶ディスプレイを用いた場合のフロントライトにも同様に適用できることは言うまでもない。【０１５９】
（２）画像データ供給装置から表示装置へのパラメータは、表示装置に設けられている光源、すなわち、バックライトが設けられているのか、フロントライトが設けられているのかに応じて、それぞれを制御するためのパラメータを用いてもよいし、設けられている光源によらず、共通のパラメータを用いてもよい。【０１６０】
そして、表示装置に設けられている光源の種類によらず、共通のパラメータを用いる場合、表示装置では、すべての光源（バックライト、フロントライト等）を同じように制御してもよいし、各光源を個別に制御してもよい。そして、各光源を個別に制御する場合、受信したパラメータを各光源用にそれぞれ修正して制御に用いてもよい。【０１６１】
（３）一般に、表示デバイスを備えた表示装置では、表示デバイスの表示特性（色合い等）を補償するために、画像データのフィルタ処理を行う。そして、本発明の表示装置（図７〜９）では、輝度調整フィルタによる処理を、前記表示特性を補償するためのフィルタ処理と一緒に行うことができる。そのため、これらのフィルタ処理をまとめて実行すれば、輝度調整フィルタによる処理を追加したことによる実質的な処理時間の増加はない。【０１６２】
（４）本発明における画像データの輝度調整は、ガンマ補正等をフィルタ処理として実現するので、被写体のコントラストを正しく表現することができる。さらに、被写体輝度が適正となるため画質の劣化を防ぐことができる。【０１６３】
（５）本発明に係る表示システムを放送に適用した場合、すなわち、画像データ供給装置が放送コンテンツを送信する場合、放送局において輝度レベルの計算や輝度調整を行い、放送することができる。そして、放送受信機としての表示装置が、輝度補正された輝度調整画像データを表示するとともに、バックライトの照度を調整することになる。【０１６４】
本発明に係る表示システムをＤＶＤ等の製作に適用した場合、すなわち、コンテンツ供給装置がＤＶＤ等に書き込むコンテンツを作成する場合、出版社等の制作会社において輝度レベルの計算や輝度調整を行い、コンテンツを作成し、ＤＶＤ等に書き込むことができる。そして、コンテンツ再生装置としての表示装置が、輝度補正された輝度調整画像データを表示するとともに、バックライトの照度を調整することになる。【０１６５】
そして、放送局や制作会社の画像データ供給装置（コンテンツ供給装置）では、データ処理に十分なリソースをかけることができるため、輝度レベルの計算や輝度調整等に必要な高度な計算でも、最適な結果を得ることができる。一方、表示装置では、高度な計算が不要となるため、装置構成が簡素化されることによる小型化、輝度計算等の処理削減に伴う省電力化および高速化が実現できる。【０１６６】
さらに、画像データ供給装置１１０・２１０・３１０、表示装置１２０・１２０′・２２０・２２０′・３２０、コンテンツ供給装置１１０′・２１０′の各ブロック、特に、輝度レベル計算部１１２、輝度調整フィルタ生成／選択部１１３、輝度調整部１１４、画像送信部１１５、バックライト調整値算出部１１６、バックライト調整値送信部１１７、コンテンツ作成部１１８、コンテンツ作成部１１９、画像受信部１２１、バックライト調整値受信部１２３、バックライト調整部１２４、コンテンツ取得部１２９、画像データ抽出部１３０、輝度レベル抽出部１３１、画像送信部２１１、輝度レベル送信部２１２、画像受信部２２１、輝度レベル受信部２２２、輝度調整フィルタ送信部３１１、輝度調整フィルタ受信部３２１は、ハードウェアロジックによって構成してもよいし、次のようにＣＰＵを用いてソフトウェアによって実現してもよい。【０１６７】
すなわち、画像データ供給装置１１０等、表示装置１２０等、コンテンツ供給装置１１０′等は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像データ供給装置１１０等、表示装置１２０等、コンテンツ供給装置１１０′等の制御プログラムのプログラムコード（実行形式プログラム、中間コードプログラム、ソースプログラム）をコンピュータで読み取り可能に記録した記録媒体を、上記画像データ供給装置１１０等、表示装置１２０等、コンテンツ供給装置１１０′等に供給し、そのコンピュータ（またはＣＰＵやＭＰＵ）が記録媒体に記録されているプログラムコードを読み出し実行することによっても、達成可能である。【０１６８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０１６９】
また、画像データ供給装置１１０等、表示装置１２０等、コンテンツ供給装置１１０′等を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０１７０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【０１７１】
例えば、本発明に係る画像データ供給装置は、表示面を背面および前面の少なくともいずれか一方から照明する光源を有する表示装置において表示される画像データを、当該表示装置に供給する画像データ供給装置であって、原画像データの輝度についての特徴量である輝度レベルを計算する輝度レベル計算手段と、上記輝度レベル計算手段が計算した輝度レベルに基づいて、上記原画像データの輝度を上昇させた輝度調整画像データを生成する輝度調整手段と、上記輝度調整手段によって生成された輝度調整画像データを上記表示装置に送信する画像送信手段と、を備えることを特徴としている。【０１７２】
本発明に係る画像データ供給装置の制御方法は、表示面を背面および前面の少なくともいずれか一方から照明する光源を有する表示装置において表示される画像データを、当該表示装置に供給する画像データ供給装置の制御方法であって、原画像データの輝度についての特徴量である輝度レベルを計算する輝度レベル計算ステップと、上記輝度レベル計算ステップにて計算した輝度レベルに基づいて、上記原画像データの輝度を上昇させた輝度調整画像データを生成する輝度調整ステップと、上記輝度調整ステップにて生成した輝度調整画像データを上記表示装置に送信する画像送信ステップと、を含むことを特徴としている。【０１７３】
本発明に係る表示装置は、表示面を背面および前面の少なくともいずれか一方から照明する光源を有する表示装置であって、画像データ供給装置から輝度調整画像データを受信する画像受信手段と、上記輝度調整画像データの原画像データからの輝度の上昇の程度に合わせて、照度を低下させるように上記光源を制御する光源調整手段と、を備えることを特徴としている。【０１７４】
本発明に係る表示装置の制御方法は、表示面を背面および前面の少なくともいずれか一方から照明する光源を有する表示装置の制御方法であって、画像データ供給装置から輝度調整画像データを受信する画像受信ステップと、上記輝度調整画像データの原画像データからの輝度の上昇の程度に合わせて、照度を低下させるように上記光源を制御する光源調整ステップと、を含むことを特徴としている。【０１７５】
上記の構成により、画像データ供給装置は、原画像データの輝度レベルを計算し、輝度レベルに基づいて原画像データの輝度を上昇させた輝度調整画像データを生成し、輝度調整画像データを表示装置に送信する。そして、表示装置は、画像データ供給装置から輝度調整画像データを受信して表示するとともに、輝度調整画像データの原画像データからの輝度の上昇の程度に合わせて、照度を低下させるように光源を制御する。ここで、表示装置の光源は、表示面を背面および前面の少なくともいずれか一方から照明するものであればよく、例えば、バックライトやフロントライトであってもよい。【０１７６】
よって、画像データの輝度を上げて、その分光源の照度を下げることにより、表示装置の省電力化が実現できる。そして、原画像データの輝度レベルの計算と、輝度調整画像データの生成とが、画像データ供給装置において行われるため、表示装置では、受信した輝度調整画像データをそのまま表示するだけでよい。すなわち、表示装置では、輝度調整のための計算が不要である。【０１７７】
したがって、表示装置の装置構成が簡単である。また、画像データ供給装置では、表示装置よりも高性能な装置を利用することができるとともに、輝度調整画像データをあらかじめ生成しておくことが可能な場合には、十分な時間をかけて行うことができるため、輝度調整により良い結果を得ることができる。【０１７８】
さらに、本発明に係る画像データ供給装置は、上記輝度調整手段が原画像データの輝度を上昇させる程度に合わせて、上記表示装置の光源の照度を低下させるように光源を制御するための光源調整値を算出する光源調整値算出手段と、上記光源調整値算出手段によって算出された光源調整値を上記表示装置へ送信する光源調整値送信手段と、を備えることを特徴としている。【０１７９】
さらに、本発明に係る表示装置は、上記画像データ供給装置から光源調整値を受信する光源調整値受信手段を備えるとともに、上記光源調整手段は、上記光源調整値受信手段が受信した光源調整値に基づいて、上記光源を制御するものであることを特徴としている。【０１８０】
上記の構成により、さらに、画像データ供給装置は、原画像データの輝度を上昇させる程度に合わせて、表示装置の光源の照度を低下させるように光源を制御するための光源調整値を算出し、表示装置へ送信する。そして、表示装置は、画像データ供給装置から受信した光源調整値に基づいて、光源を制御する。【０１８１】
よって、光源調整値の計算が、画像データ供給装置において行われるため、表示装置では、受信した光源調整値をそのまま用いて光源を制御するだけでよい。すなわち、表示装置では、原画像データの輝度を上昇させる程度に合わせて、表示装置の光源の照度を低下させるための光源調整値を計算する必要がない。【０１８２】
したがって、表示装置の装置構成が簡単である。また、画像データ供給装置では、表示装置よりも高性能な装置を利用することができるとともに、光源調整値をあらかじめ生成しておくことが可能な場合には、十分な時間をかけて行うことができるため、精度の高い結果を得ることができる。【０１８３】
本発明に係る画像データ供給装置は、表示面を背面および前面の少なくともいずれか一方から照明する光源を有する表示装置において表示される画像データを、当該表示装置に供給する画像データ供給装置であって、原画像データの輝度についての特徴量である輝度レベルを計算する輝度レベル計算手段と、上記輝度レベル計算手段によって計算された輝度レベルを上記表示装置へ送信する輝度レベル送信手段と、を備えることを特徴としている。【０１８４】
本発明に係る画像データ供給装置の制御方法は、表示面を背面および前面の少なくともいずれか一方から照明する光源を有する表示装置において表示される画像データを、当該表示装置に供給する画像データ供給装置の制御方法であって、原画像データの輝度についての特徴量である輝度レベルを計算する輝度レベル計算ステップと、上記輝度レベル計算ステップにて計算した輝度レベルを上記表示装置へ送信する輝度レベル送信ステップと、を含むことを特徴としている。【０１８５】
本発明に係る表示装置は、表示面を背面および前面の少なくともいずれか一方から照明する光源を有する表示装置であって、画像データ供給装置から原画像データの輝度についての特徴量である輝度レベルを受信する輝度レベル受信手段と、上記輝度レベル受信手段が受信した輝度レベルに基づいて、上記原画像データの輝度を上昇させた輝度調整画像データを生成する輝度調整手段と、上記輝度調整手段が原画像データの輝度を上昇させる程度に合わせて、照度を低下させるように上記光源を制御する光源調整手段と、を備えることを特徴としている。【０１８６】
本発明に係る表示装置の制御方法は、表示面を背面および前面の少なくともいずれか一方から照明する光源を有する表示装置の制御方法であって、画像データ供給装置から原画像データの輝度についての特徴量である輝度レベルを受信する輝度レベル受信ステップと、上記輝度レベル受信ステップにて受信した輝度レベルに基づいて、上記原画像データの輝度を上昇させた輝度調整画像データを生成する輝度調整ステップと、上記輝度調整ステップにて原画像データの輝度を上昇させる程度に合わせて、照度を低下させるように上記光源を制御する光源調整ステップと、を含むことを特徴としている。【０１８７】
上記の構成により、画像データ供給装置は、原画像データの輝度レベルを計算して、表示装置へ送信する。そして、表示装置は、画像データ供給装置から受信した輝度レベルに基づいて、原画像データの輝度を上昇させた輝度調整画像データを生成して、表示するとともに、原画像データの輝度を上昇させる程度に合わせて、照度を低下させるように光源を制御する。ここで、表示装置の光源は、表示面を背面および前面の少なくともいずれか一方から照明するものであればよく、例えば、バックライトやフロントライトであってもよい。【０１８８】
よって、画像データの輝度を上げて、その分光源の照度を下げることにより、表示装置の省電力化が実現できる。そして、原画像データの輝度レベルの計算が、画像データ供給装置において行われるため、表示装置では、受信した輝度レベルを用いて、輝度調整画像データを生成すればよい。すなわち、表示装置では、輝度レベルのための計算が不要である。【０１８９】
したがって、表示装置の装置構成が簡単である。また、画像データ供給装置では、表示装置よりも高性能な装置を利用することができるとともに、輝度レベルをあらかじめ生成しておくことが可能な場合には、十分な時間をかけて行うことができるため、精度の高い結果を得ることができる。【０１９０】
さらに、本発明に係る画像データ供給装置は、上記原画像データを上記表示装置へ送信する画像送信手段を備えることを特徴としている。【０１９１】
さらに、本発明に係る表示装置は、上記画像データ供給装置から原画像データを受信する画像受信手段を備えることを特徴としている。【０１９２】
上記の構成により、さらに、原画像データは、画像データ供給装置から表示装置へ送信される。【０１９３】
よって、表示装置では、受信した原画像データと上記輝度レベルを用いて、輝度調整画像データを生成することができる。また、表示装置が受信するのは、輝度調整されていない原画像データであるため、表示装置が輝度調整および光源調整の機能を備えない場合であっても、表示に影響がない。【０１９４】
本発明に係る画像データ供給装置は、表示面を背面および前面の少なくともいずれか一方から照明する光源を有する表示装置において表示される画像データを、当該表示装置に供給する画像データ供給装置であって、原画像データの輝度についての特徴量である輝度レベルを計算する輝度レベル計算手段と、上記輝度レベル計算手段が計算した輝度レベルに基づいて、輝度調整フィルタを決定する輝度調整フィルタ決定手段と、上記輝度調整フィルタ決定手段が決定した輝度調整フィルタ、または、該輝度調整フィルタを識別可能なフィルタ識別情報を上記表示装置へ送信する輝度調整フィルタ送信手段と、上記輝度調整フィルタ決定手段が決定した輝度調整フィルタの輝度上昇度に合わせて、表示装置の光源の照度を低下させるように光源を制御するための光源調整値を算出する光源調整値算出手段と、上記光源調整値算出手段によって算出された光源調整値を上記表示装置へ送信する光源調整値送信手段と、を備えることを特徴としている。【０１９５】
本発明に係る画像データ供給装置の制御方法は、表示面を背面および前面の少なくともいずれか一方から照明する光源を有する表示装置において表示される画像データを、当該表示装置に供給する画像データ供給装置の制御方法であって、原画像データの輝度についての特徴量である輝度レベルを計算する輝度レベル計算ステップと、上記輝度レベル計算ステップにて計算した輝度レベルに基づいて、輝度調整フィルタを決定する輝度調整フィルタ決定ステップと、上記輝度調整フィルタ決定ステップにて決定した輝度調整フィルタ、または、該輝度調整フィルタを識別可能なフィルタ識別情報を上記表示装置へ送信する輝度調整フィルタ送信ステップと、上記輝度調整フィルタ決定ステップにて決定した輝度調整フィルタの輝度上昇度に合わせて、表示装置の光源の照度を低下させるように光源を制御するための光源調整値を算出する光源調整値算出ステップと、上記光源調整値算出ステップにて算出した光源調整値を上記表示装置へ送信する光源調整値送信ステップと、を含むことを特徴としている。【０１９６】
本発明に係る表示装置は、表示面を背面および前面の少なくともいずれか一方から照明する光源を有する表示装置であって、画像データ供給装置から輝度調整フィルタ、または、該輝度調整フィルタを識別可能なフィルタ識別情報を受信する輝度調整フィルタ受信手段と、上記輝度調整フィルタ受信手段が受信した輝度調整フィルタ、または、フィルタ識別情報に対応する輝度調整フィルタを原画像データに適用して、輝度を上昇させた輝度調整画像データを生成する輝度調整手段と、上記画像データ供給装置から光源調整値を受信する光源調整値受信手段と、上記光源調整値受信手段が受信した光源調整値に基づいて、光源を制御する光源調整手段と、を備えることを特徴としている。【０１９７】
本発明に係る表示装置の制御方法は、表示面を背面および前面の少なくともいずれか一方から照明する光源を有する表示装置の制御方法であって、画像データ供給装置から輝度調整フィルタ、または、該輝度調整フィルタを識別可能なフィルタ識別情報を受信する輝度調整フィルタ受信ステップと、上記輝度調整フィルタ受信ステップにて受信した輝度調整フィルタ、または、フィルタ識別情報に対応する輝度調整フィルタを原画像データに適用して、輝度を上昇させた輝度調整画像データを生成する輝度調整ステップと、上記画像データ供給装置から光源調整値を受信する光源調整値受信ステップと、上記光源調整値受信ステップにて受信した光源調整値に基づいて、光源を制御する光源調整ステップと、を含むことを特徴としている。【０１９８】
上記の構成により、画像データ供給装置は、原画像データの輝度レベルを計算し、輝度レベルに基づいて、輝度調整フィルタを決定し、該決定した輝度調整フィルタ、または、そのフィルタ識別情報を表示装置へ送信する。また、画像データ供給装置は、輝度調整フィルタの輝度上昇度に合わせて、表示装置の光源の照度を低下させるように光源を制御するための光源調整値を算出し、表示装置へ送信する。そして、表示装置は、画像データ供給装置から受信した輝度調整フィルタ、または、そのフィルタ識別情報に対応する輝度調整フィルタ（あらかじめ表示装置にフィルタ識別情報と対応付けて格納されていることが望ましい）を原画像データに適用して、輝度を上昇させた輝度調整画像データを生成して表示する。また、表示装置は、画像データ供給装置から受信した光源調整値に基づいて、光源を制御する。ここで、表示装置の光源は、表示面を背面および前面の少なくともいずれか一方から照明するものであればよく、例えば、バックライトやフロントライトであってもよい。【０１９９】
よって、画像データの輝度を上げて、その分光源の照度を下げることにより、表示装置の省電力化が実現できる。そして、輝度調整フィルタの生成または選択のための計算、光源調整値の計算が、画像データ供給装置において行われるため、表示装置では、受信した輝度調整フィルタ（または、フィルタ識別情報）および光源調整値を用いて、輝度調整画像データを生成するとともに、光源を制御すればよい。すなわち、表示装置では、輝度調整フィルタの生成または選択のための計算、光源調整値の計算、および、原画像データの輝度を上昇させる程度に合わせて、表示装置の光源の照度を低下させるための光源調整値を計算する必要がない。【０２００】
したがって、表示装置の装置構成が簡単である。また、画像データ供給装置では、表示装置よりも高性能な装置を利用することができるとともに、輝度調整フィルタ（または、フィルタ識別情報）および光源調整値をあらかじめ生成しておくことが可能な場合には、十分な時間をかけて行うことができるため、精度の高い結果を得ることができる。【０２０１】
さらに、本発明に係る画像データ供給装置は、上記原画像データを上記表示装置へ送信する画像送信手段を備えることを特徴としている。【０２０２】
さらに、本発明に係る表示装置は、上記画像データ供給装置から原画像データを受信する画像受信手段を備えることを特徴としている。【０２０３】
上記の構成により、さらに、原画像データは、画像データ供給装置から表示装置へ送信される。【０２０４】
よって、表示装置では、受信した原画像データと上記の輝度調整フィルタ（または、フィルタ識別情報）および光源調整値を用いて、輝度調整画像データを生成するとともに、光源を制御することができる。また、表示装置が受信するのは、輝度調整されていない原画像データであるため、表示装置が輝度調整および光源調整の機能を備えない場合であっても、表示に影響がない。【０２０５】
なお、上記の画像データ供給装置および表示装置は、コンピュータによって実現してもよく、この場合には、コンピュータを上記各手段として動作させることにより上記の画像データ供給装置および表示装置をコンピュータにて実現させるための、画像データ供給装置および表示装置の制御プログラム、およびそれを記録したコンピュータ読み取り可能な記録媒体も、本発明の範疇に入る。
【産業上の利用の可能性】
【０２０６】
本発明は、画質が劣化することなく、バックライトの照度を低下させることによって、低消費電力化を図ることができるため、テレビジョン受信機能付き携帯電話等の携帯型テレビジョン受信機のほか、パソコンに代表される情報機器に融合された装置に適用できる。
【図１】
2007108475.tif 000003
【図２】
2007108475.tif 000004
【図３】
2007108475.tif 000005
【図４】
2007108475.tif 000006
【図５】
2007108475.tif 000007
【図６】
2007108475.tif 000008
【図７】
2007108475.tif 000009
【図８】
2007108475.tif 000010
【図９】
2007108475.tif 000011
【図１０（ａ）】
2007108475.tif 000012
【図１０（ｂ）】
2007108475.tif 000013
【図１１（ａ）】
2007108475.tif 000014
【図１１（ｂ）】
2007108475.tif 000015
【図１２】
2007108475.tif 000016
【図１３】
2007108475.tif 000017
【図１４】
2007108475.tif 000018
【図１５】
2007108475.tif 000019
【国際調査報告】
2007108475.tif 000020
2007108475.tif 000021
2007108475.tif 000022
2007108475.tif 000023